(57)【要約】【課題】風呂の湯は入浴後、残り湯が微生物で汚染され不衛生で排水、新しい水に入れ替え湯を沸かすため水資源節約、エネルギー節約、二酸化炭素排出量を削減、温暖化ガス排出量を削減、地球温暖化防止が出来ない。【解決手段】微生物は電気的殺菌、又電気化学的殺菌で滅菌するため電気化学ポテンシャル列の異なる種類の金属で起電力レベルを持つ電極に電極電位差をつけて布、又炭クロスに固着、電極、布、又炭クロスは電解液で湿り接触状態となり、電極と電解液の界面で電気二重層の電気化学系反応の電食作用、腐食作用が起き電極間で電流が流れ、電圧、電流は布、又炭クロス活性炭電極の電気二重層キャパシタに蓄電され、電池作用を持ち、電気化学反応（酸化還元反応）の反応性が起き静電気放電、金属イオン、コロナ放電、フリーラジカル作用で微生物を滅菌することを特徴とした浄化体。【選択図】図１
2011078958.tif 000002
【特許請求の範囲】
【請求項１】
電気化学ポテンシャル列の異なる起電力レベルを持つ少なくとも２種類の金属を離間して配置し、水中に浸漬することにより電気化学反応で抗菌又は抗黴効果を発揮することを特徴とする浄化装置。
【請求項２】
前記金属は、酸化チタン、アルミニュウム、亜鉛、トタン（亜鉛めっきした鋼）、クロム、鉄又は鋼、ニッケル、黒鉛、すず、ブリキ（すずめっきした薄鉄）、真鍮、銅、ステンレス、銀、白金、金のうちの異なる種類の金属であることを特徴とする請求項１に記載の浄化装置。
【請求項３】
電気化学ポテンシャル列の異なる起電力が低い前記金属の一方の面積は、前記金属の他方の面積より大きいことを特徴とする請求項１又は２に記載の浄化装置。
【請求項４】
前記金属の一方は、布又は炭クロスの一方の面に配置され、前記金属の他方は、前記布又は炭クロスの他方の面に配置されていることを特徴とする請求項１〜３のいずれかに記載の浄化装置。
【請求項５】
前記金属の少なくとも一方は、前記布又は炭クロスの面に格子状、網状又は渦巻き状に形成されることを特徴とする請求項４に記載の浄化装置。
【請求項６】
布又は炭クロスの一方の面において、前記金属の一方が、前記金属の他方に取り囲まれるように配置されていることを特徴とする請求項１〜５のいずれかに記載の浄化装置。
【請求項７】
布又は炭クロスの一方の面において、前記金属の一方が、前記金属の他方に並べて配置されていることを特徴とする請求項１〜５のいずれかに記載の浄化装置。
【請求項８】
前記金属を形成した布又は炭クロスを積層したことを特徴とする請求項１〜６のいずれかに記載の浄化装置。
【請求項９】
前記金属を形成した布又は炭クロスを筒状に形成したことを特徴とする請求項１〜７のいずれかに記載の浄化装置。
【請求項１０】
前記金属は水が存在する限り電極電位差が電気化学反応を起こす原動力で発電し続ける水電池で発生する静電気容量を変えて微生物を発育阻止、死滅、又発育、増殖する微生物制御を特徴とする請求項１〜９のいずれかに記載の浄化装置。
【請求項１１】
前記金属は水中に浸漬すことにより水電池になり、又水が存在する限り放電、充電を繰り返し発電、静電気を絶えず発生し続ける燃料電池を特徴とする請求項１〜１０のいずれかに記載の浄化装置。
【発明の詳細な説明】
【技術分野】
【０００１】
本発明は、浴槽の残り湯を滅菌、浄化し再利用、水道料金節約、水資源節約、エネルギー節約、二酸化炭素排出量を削減、温暖化ガス排出量を削減、地球温暖化防止に貢献できる技術に関し、電極と電解液の界面の電気化学反応により静電気、金属イオン、コロナ放電、フリーラジカルにより電気的殺菌、又電気化学的殺菌で微生物を排除する技術に関し、新型インフルエンザ、鳥インフルエンザ、ノロウイルス、Ｏ１５７ウイルス、エイズウイルス、炭そ菌、結核菌を除去する技術に関し、ワクチン（ＢＣＧ（結核）、ＤＰＴ（３種混合）、ポリオ、ＭＲ（麻疹、風疹）、日本脳炎、おたふくかぜ、水痘、インフルエンザ、Ａ型肝炎）は病原性が弱い病原体をつくるＭＲワクチンの培養工程、又ホルマリンなどの薬品で病原体を殺したり、こわしたりする不活性ワクチンをつくる処理工程での電気的殺菌や電気的化学殺菌に関し、院内感染症の原因は抗菌剤の一種である抗生物質に対して耐性を示す抗生物質耐性菌を滅菌するため電気的殺菌、電気的化学殺菌で滅菌に関し、破傷風菌が増殖する過程で出す毒素、又腸管出血性大腸菌（Ｏ１５７）のベロ毒素を電気化学反応の電気を蓄電し、静電気放電、金属イオン、コロナ放電、フリーラジカルで病気を起こす毒素を無毒化する技術に関する。
【背景技術】
【０００２】
浴槽やプール等に貯水された湯又は水は、当初は塩素により殺菌されているが、これをそのまま放置すると時間がたつに連れて、塩素が抜けて雑菌や黴が繁殖する恐れがある。従って、断水が生じた場合など、浴槽の湯を再度わかして利用する場合、雑菌や黴が繁殖して不衛生になるため問題である。
【０００３】
これに対し、浴槽水を浴槽から外部へ循環させながら、その循環路に配置した電気分解で循環水を電気分解し、殺菌を行う装置であって、前記電気分解器の電源を定電流直流電源から供給する浴槽水殺菌浄化装置が、特許文献１に記載されている。
【先行技術文献】
【特許文献】
【０００４】
【特許文献１】特開平０３−１９１号公報
【発明の概要】
【発明が解決しようとする課題】
【０００５】
しかしながら、特許文献１の技術では、定電流直流電源が必要となるため、災害時など停電が生じた場合には、殺菌を行えないという問題がある。又、広大な貯水量を有するプールでは、使いにくいという問題もある。
【０００６】
本発明は、かかる従来技術の問題点に鑑みてなされたものであり、給電を必要とすることなく、除菌作用を発揮できる浄化装置を提供することを目的とする。
【課題を解決するための手段】
【０００７】
本発明の浄化装置は、電気化学ポテンシャル列の異なる起電力レベルを持つ少なくとも２種類の金属を離間し配置、水中に浸漬することにより抗菌又は抗黴効果を発揮、並びに水がある限り発電し続ける燃料電池機能を有することを特徴とする。
【発明の効果】
【０００８】
一般的に、銀イオンや銅イオンが抗菌作用を有することが知られている。しかしながら、銀イオンや銅イオンが十分な抗菌作用を発揮する為には、或る程度の濃度が必要である。日本防菌防黴学会誌（Ｖｏｌ．２２，Ｎｏ．９（１９９４））によれば、大腸菌、カビを培養後、発育が阻止された最低濃度のＭＩＣは、以下の表の通りである。このように高いイオンを発生させるには、十分な条件が必要になる。
【０００９】
【表１】
2011078958.tif 000003
【００１０】
これに対し、本発明者は、電気化学ポテンシャル列の異なる起電力レベルを持つ少なくとも２種類の金属を離間し配置、水中（湯中を含む）に浸漬することにより抗菌又は抗黴効果を発揮することを発見した。電気化学ポテンシャル列（ｅｌｅｃｔｒｏｃｈｅｍｉｃａｌ  ｓｅｒｉｅｓ）の異なる種類の金属で起電力レベル持った金属は、陽極的材料（電気化学ポテンシャル列上より正の側）と陰極的材料（電気化学ポテンシャル列下より負の側）の電極電位差をつける組み合わせで、電極電位差を電気化学反応の原動力として微生物を電気的殺菌、電気化学的殺菌で滅菌する。
【００１１】
電気化学ポテンシャル列の異なる種類の金属としては表２に記載されたものがあるが、異なる起電力（ｅｌｅｃｔｒｏｍｏｔｉｖｅ  ｆｏｒｃｅ）レベルを持つ金属を水中に浸漬すると、これらの一方は陽極、他方は陰極となり、両者間に電位差が生じ、かかる電気化学反応により金属イオン濃度が低くても抗菌又は抗黴効果を発揮するのである。起電力レベルの差が大きいほど抗菌又は抗黴作用が起こる電気化学反応を応用する。
【００１２】
【表２】
2011078958.tif 000004
【００１３】
前記金属は、酸化チタン、アルミニュウム、亜鉛、トタン、クロム、鉄又は鋼、ニッケル、黒鉛、活性炭、すず、ブリキ、真鍮、銅、ステンレス、銀、白金、金のうちの異なる種類の金属であると好ましい。
【００１４】
２年間かけて前記金属を組み替えて次の実験を実施、異なる種類の金属を組み替え布又は炭クロスの表面に金属を少なくとも２種類以上の異なる金属を離間し平行に固着、又少なくとも２種類以上の異なる金属を離間し金属の間に布又は炭クロスを挿入し金属を積層に重ねて大きい布又は炭クロスに固着し、水中に浸漬すことにより水電池になり水がある限り放電、充電を繰り返し発電機能があり、又静電気を発生し続けている燃料電池であることを確認する。
【００１５】
上記実験で発生する電圧、電流、抵抗値は常に変化し、前記金属が少なくとも２種類以上の異なる金属の電極電位差が少ない場合は発生する電圧、電流が小さく、又電極電位差が大きい場合は大きい電圧、電流値が生じ、同時に静電気が生じることを確認、微生物の発育阻止、滅菌、又発育、増殖の微生物制御に利用する。
【００１６】
電気化学ポテンシャル列の異なる起電力が低い前記金属の一方の面積は、前記金属の他方の面積より大きいと好ましい。
【００１７】
前記金属の一方は、布又は炭クロスの一方の面に配置され、前記金属の他方は、前記布又は炭クロスの他方の面に配置されていると好ましい。
【００１８】
前記金属の少なくとも一方は、前記布又は炭クロスの面に格子状、網状又は渦巻き状に形成されると好ましい。
【００１９】
布又は炭クロスの一方の面において、前記金属の一方が、前記金属の他方に取り囲まれるように配置されていると好ましい。
【００２０】
布又は炭クロスの一方の面において、前記金属の一方が、前記金属の他方に並べて配置されていると好ましい。
【００２１】
前記金属を形成した布又は炭クロスを積層していると好ましい。
【００２２】
前記金属を形成した布又は炭クロスを筒状に形成していると好ましい。
【００２３】
尚、上記金属は樹脂やセラミックなどに両面に形成されていても良い。
【００２４】
ここで、「布」とは、布、紙、合成繊維、不織布、ゴム、合成樹脂等からなる板状体を広く含む概念であり、乾燥状態で絶縁機能を有するものが好ましく、水蒸気の存在のもとに布、紙、不織布、ゴム、合成樹脂が接触しているとき、又電解液で布、紙、不織布、ゴム、合成樹脂の材料が湿った状態で布の端と端の間で電気抵抗を有する材料を利用する。
【００２５】
「炭クロス」とは、炭の両面を布で挟んだものであり、わし（和紙）炭、竹炭、木炭、活性炭、微粒子活性炭、カーボンブラック、カーボンナチューブを布で両面から挟み固着した炭クロスは水蒸気の存在のもと接触しているとき、又電解液で湿ったときわし（和紙）炭、竹炭、木炭、活性炭、微粒子活性炭、カーボンブラック、カーボンナチューブ材料が湿り、材料の端と端の間で電気抵抗が生じる材料を利用する。
【００２６】
炭の片面を布に固着した炭クロスは、わし（和紙）炭、竹炭、木炭、活性炭、微粒子活性炭、カーボンブラック、カーボンナチューブを布の片面に固着した炭クロスは水蒸気の存在のもと接触しているとき、又電解液で湿ったときは、わし（和紙）炭、竹炭、活性炭、微粒子活性炭、カーボンブラック、カーボンナチューブ材料が湿り、材料の端と端の間で電気抵抗が有する材料を利用する。
【００２７】
炭、活性炭の利用として、電気化学ポテンシャル列の異なる金属（電極）で、起電力レベルを持つ電極で電極電位差をつけて組み合わせ、電極と電解液をつなげた系の電気化学反応（酸化還元反応）で発生する電気エネルギー、電解質の正負両イオンが電圧を加える充電によって、電極表面に吸収され、電極内の正負電荷と対を作り、電気を貯蔵、そして電気二重層が消滅によって電気エネルギーを放電、充電する貯蔵する電気二重キャパシタにわし（和紙）炭、竹炭、木炭、活性炭、微粒子活性炭、カーボンブラック、カーボンナチューブ炭を利用する。
【００２８】
本発明は、微生物（細菌、カビ、酵母、ウイルス）を滅菌する電気的殺菌、又電気化学的殺菌は電気化学ポテンシャル列の異なる種類の金属（電極）で、起電力レベルを持つ電極を離間し組み合わせ、電極電位差（起電力）をつけて布、又炭クロスに固着、電極と電解液をつなげた系において湿った電極、布、又炭クロスは接触し、電極内の電子と電解液の界面で電子がやりとりされる電気二重層の電気化学系反応（酸化還元反応）の反応性は電極電位差を原動力とすることを特徴とする。
【００２９】
電極電位差をつけた電極は多数個を離間し組み込み、布（布、不織布、ゴム、合成樹脂）、又炭クロス（和紙炭、活性炭を布に固着）に固着、電極は水蒸気の存在のもとに接触し、又電解液の存在のもとに接触するとき電極と電極、電極と布、又電極と炭クロス間は電気抵抗があり、電極が接触しているとき起こる電食作用、電解腐食作用は一つの金属から他の金属へ電流が流れるために電極間は電気抵抗があり、さらに電極は電導性をおびる布、又炭クロスに固着することを特徴とする。
【００３０】
金属イオンは微生物の細胞質膜、細胞壁の表面に付着、細胞質の電子伝達系とイオン伝導が影響をうけ腐食における局部電池機構と類似の機構で反応が進行し滅菌するため電極と電解液の界面で電気二重層の電気化学系反応で水の電気分解、電池反応、電気めっきを起こす反応エネルギーは電気エネルギーに変換され、金属イオンの生成を特徴とする。
【００３１】
電気化学反応によるイオン生成は不対電子をもった物質がフリーラジカルになり、他の分子から電子を奪い微生物の膜の脂肪質層は細胞膜破壊を起こし細胞や組織の機能を低下させ死滅させるため、電極と電解液において、電解液は電気化学系反応における電子放出、電子のやりとりで電子を奪われ、酸化還元電位（ＯＲＰ）がマイナスへ下がる降順（還元）、又上がる昇順（酸化）を繰り返し、酸化、還元、フリーラジカル作用を特徴とする。
【００３２】
微生物の細胞膜、細胞の壁は静電気の電流破壊、電圧破壊、コロナ放電で破壊され滅菌する反応性を起こすため、面積が有る導体性の電極は電極と電極が離間し布、又炭クロスを平行に挿入して固着、平行キャパシタとし、電解液で接触した導体性の電極と電解液をつなげた系の界面で電子がやりとりする電気二重層キャパシタは布、又炭クロスの活性炭電極が電気エネルギーを貯蔵する蓄電池機能を持ち、電極と溶解液の正負両イオンがそれぞれ負極と正極に物理的に吸着および脱着による充電、放電を繰り返す電池を特徴とする。
【００３３】
少なくとも２種類の異なる導体性の有る電極板は面積が有り、電極板を離間して配置、離間を設けた電極板の間に布又は炭、活性炭の誘電体を挿入、電極板を平行に配置し大きい布、又炭クロスに固着、電極が平行板になり金属板の内部に電荷が集中し強い電場が作られ、電極電位差により電気化学反応が発生し電気エネルギーを充電、放電したりできる蓄電機能を持った平行キャパシタにする。
【００３４】
電気化学系反応の反応性は陽極的材料の電極（電気化学ポテンシャル列上より正の側）の面積を小さくし、腐食により陽極へ電子供給量を多くする陰極的材料の電極（電気化学ポテンシャル列下より負の側）の面積を大きくし、陽極的材料と陰極的材料を離間し布又炭クロスを固着、又間隔を設け、さらに動作電極、基準電極、又補助電極を１から多数個を離間し組み合わせて電極電位差を大きくつけた電極は多数個を離間し組み込むことを特徴とする。
【００３５】
電極形状は平形、丸形、渦巻き形、線形、網形、六角形、山形、波形とし、又金属固体、活性炭を微粒子状に加工、さらにカーボンブラック、ナノチューブを利用、静電気の帯電を高め、静電気放電、イオン生成、コロナ放電、フリーラジカル作用の電気化学的反応で滅菌するため、静電気を多く帯電する電極は総表面積を大きくし、又金属固体は微粒子に加工し、さらに電極は積層とすることを特徴とする。
【００３６】
浴槽の垢、沈殿物を吸着するフィルターを固着することを特徴とする。
【図面の簡単な説明】
【００３７】
【図１】比較例における一般細菌数と入浴の経日変化を示すグラフである。
【図２】亜鉛（トタン板）、銅、銀の間に布を挿入し大きい布に固着した３積層電極の亜鉛電極の斜視画像である。
【図３】１５０倍に拡大した亜鉛電極の組織画像である。
【図４】１５０倍に拡大した亜鉛電極の組織画像である。
【図５】実施例における一般細菌数と入浴の経日変化を示すグラフである。
【図６】実施例における黴、酵母数と入浴の経日変化を示すグラフである。
【図７】大腸菌群の培養実験で浄化体が増殖阻止より死滅を示す図である。
【図８】大腸菌群の培養実験で発育、増殖を示す図である。
【図９】銀、亜鉛（トタン）、銅の間に炭クロスを挿入、大きい炭クロスに固着した３積層電極の銀電極を示す図である。
【図１０】試験液のＯＲＰの経時変化を示すグラフである。
【図１１】試験液のＯＲＰの経時変化を示すグラフである。
【図１２】貯水槽、プール、浴槽３の側面の淵１２、底１３に浄化体を固着した断面図で、浴槽の淵１２に布又は炭クロス９の表面に電気化学ポテンシャル列の異なる種類の金属電極Ａ５（銀材）、電極Ｄ８（亜鉛材）を離間し表面に固着、裏面に電極Ｂ６（銅材）を固着、浴槽の水面に浮遊する垢、脂肪を付着させるフィルター４を固着、電極電位差で電気化学反応（酸化還元反応）を起こし浴槽３、又貯水槽、プールの水を電気的殺菌、電気化学的殺菌で滅菌する浄化体を示す図である。
【図１３】貯水槽、プール、浴槽３の側面の淵１２に固着する浄化体１１を示す図で、電気化学ポテンシャル列の異なる種類の金属電極Ａ５（銀材）、電極Ｄ８（亜鉛材）を離間し表面に固着、裏面に電極Ｂ６（銅材）を固着、浴槽の水面に浮遊する垢、脂肪を付着させるフィルター４を固着、電極電位差で電気化学反応を起こし浴槽３、又貯水槽、プールの水を電気的殺菌、電気化学的殺菌で滅菌する浄化体１１を示す図である。
【図１４】貯水槽、プール、浴槽の底１３に固着する浄化体であって、電気化学ポテンシャル列の異なる種類の電極Ａ５（銀材）、電極Ｄ８（亜鉛材）を離間し表面に固着、裏面に電極Ｂ６（銅材）固着、浴槽の水面に浮遊する垢、脂肪を付着させるフィルター４を固着、電極電位差で電気化学反応を起こし浴槽３、又貯水槽、プールの水を電気的殺菌、電気化学的殺菌で滅菌、移動防止のスベリ止めシート１０を固着した浄化体１１を示す図である。
【図１５】布又炭クロス９の表面に電気化学ポテンシャル列の異なる種類の電極Ａ５（銀材）を格子状、又網状１７に固着し電気化学反応を起こし布、又炭クロス９に蓄電し水を滅菌する浄化体を示す図である。
【図１６】布又炭クロス９の表面に電気化学ポテンシャル列の異なる種類の電極Ｂ６（銅材）を固着し電極を左、又右巻きに固着した浄化体を示す図である。表側の電極と電極電位差で電気化学反応を起こし、布又炭クロス９に蓄電し水を電気的殺菌、電気化学的殺菌で滅菌する。
【図１７】布又炭クロス９の表面に電気化学ポテンシャル列の異なる種類の電極Ａ５、電極Ｄ８、電極Ｂ６、又電極Ｃ７を離間し固着、陽極における腐食作用による電子を供給するのは陰極材料であるため陰極材料の面積を多く配置、電極を横形に配置し電極電位差で電気化学反応を起こし、水を電気的殺菌、電気化学的殺菌で滅菌、又電池に利用する浄化体を示す図である。
【図１８】布又炭クロス９の表面に電気化学ポテンシャル列の異なる種類の金属電極Ａ５、電極Ｄ８、電極Ｂ６、電極７を離間し固着、陽極における腐食作用による電子を供給する陰極材料であるため陰極面積を多くして配置、電極を立て形に配置し電極電位差で電気化学反応を起こし、水を電気的殺菌、電気化学的殺菌で滅菌、又電池に利用する浄化体を示す図である。
【図１９】布又炭クロス９の表面に電気化学ポテンシャル列の異なる種類の金属をピラミット形に電極Ａ５、電極Ｂ６、電極Ｃ７、電極８を離間し配置、各電極は直列、又並列に固着し電気化学反応の反応性を制御、電極電位差で電気化学反応を起こし滅菌、又電気エネルギーを蓄電する電池として利用する浄化体を示す図である。
【図２０】布又炭クロス９の表面に電気化学ポテンシャル列の異なる種類の金属電極Ｄ８の円の回りに右回りに電極Ａ５、電極Ｂ６、又電極Ｃ７を離間し固着、発生する電気エネルギーを渦巻状にし、電極電位差で電気化学反応を起こし、水を電気的殺菌、電気化学的殺菌で滅菌、又電池として利用する浄化体を示す図である。
【図２１】布又炭クロス９の表面に電気化学ポテンシャル列の異なる種類の金属電極Ｄ８の円の回りに左回りに電極Ａ５、電極Ｂ６、又電極Ｃ７を離間し固着、発生する電気エネルギーを渦巻状にし、電極電位差で電気化学反応を起こし、水を電気的殺菌、電気化学的殺菌で滅菌、又電池として利用する浄化体を示す図である。
【図２２】布又炭クロス９の表面に電気化学ポテンシャル列の異なる種類の金属電極Ａ５、電極Ｂ６、電極Ｃ７、電極Ｄ８を離間し平行に並べ、電極の間にスペーサーの布、又炭クロス９を挿入、離間し電極板を平行キャパシタとし電気エネルギーを蓄積するため電解液、太陽光、風、水、水蒸気、湯、海水を通して静電気を発生させ、又電極電位差で電気化学反応を起こし電気エネルギーを蓄電する電池、又水を滅菌するために利用する浄化体を示す図である。
【図２３】布又炭クロス９の幕の表面に電気化学ポテンシャル列の異なる種類の金電極Ａ５、電極Ｂ６、又電極Ｃ７、電極Ｄ８を離間し固着、多数の幕を組み合わせた金属電極幕１９を平行に並べ、金属電極幕１９の間にスペーサーの布又炭クロス９を挿入、離間した金属電極幕１９を平行キャパシタとし電極電位差で電気化学反応を起こし電気エネルギーを蓄電するため電解液、太陽光、風、水、水蒸気、湯、海水を通し発生する静電気で原子炉より発生する放射能、赤外線、磁気波を遮蔽する幕、貯水槽、プールの水を電気的殺菌、電気化学的殺菌で滅菌、又静電気を蓄電する電池に利用する浄化体を示す図である。
【図２４】布又炭クロス９の表面に面積を持った電気化学ポテンシャル列の異なる種類の金属電極１８の電極Ｂ６、又電極Ｄ８、電極Ａ５、又電極Ｃ７を離間し電極板を平行に並べ、離間した電極間にスペーサーの布、又炭クロスを挿入し大きい布又炭クロス９に固着、電極板を平行キャパシタとし、電極電位差で電気化学反応を起こし静電気が蓄電され放電で水を滅菌、又電気エネルギーを蓄電にする電池に利用する浄化体を示す図である。
【図２５】布又炭クロス９の表面に網形１７の電気化学ポテンシャル列の異なる種類の金属電極Ｂ６、又電極Ｄ８を面積のある１８電極Ａ５、又電極Ｃ７を離間し電極板を平行に並べ、電極間にスペーサーの布、又炭クロスを挿入し大きい布又炭クロス９に固着、電極板を平行キャパシタとし、金属イオンの流れを良くし、電極電位差で電気化学反応を起こし電気エネルギーを蓄電し電池として利用、又水を電気的殺菌、電気化学的殺菌で滅菌、又電気エネルギーを蓄電にする電池に利用する浄化体を示す図である。
【図２６】布又炭クロス９の表面に網形１７の電気化学ポテンシャル列の異なる種類の金属電極Ｂ６、又電極Ｄ８で面積のある１８孔開き電極Ａ５、又電極Ｃ７を離間し電極板を平行に並べ、電極間にスペーサーの布、又炭クロスを挿入し大きい布又炭クロス９に固着、電極を平行キャパシタとし、金属イオンの流れを良くし、電極電位差で電気化学反応を起こし、電気エネルギーを蓄電し電池として利用、又空気清浄機の滅菌、水を電気的殺菌、電気化学的殺菌で滅菌する浄化体を示す図である。
【図２７】布又炭クロス９の表面に孔開き、又六角孔開き１７の電気化学ポテンシャル列の異なる種類の金属電極Ｂ６、又電極Ｄ８で面積のある１８電極Ａ５、又電極Ｃ７を離間し電極板を平行に並べ、電極間にスペーサーの布、又炭クロスを挿入し大きい布又炭クロス９に固着、電極板を平行キャパシタとし、金属イオンの流れを良くし、電極電位差で電気化学反応を起こし、電気エネルギーを蓄電する電池として利用、又水を電気的殺菌、電気化学的殺菌で滅菌する浄化体を示す図である。
【図２８】布又炭クロス９の表面に電気化学ポテンシャル列の異なる種類の金属の曲面形電極Ａ５と電極Ｄ８を離間し電極板を平行に並べ、電極の間にスペーサーの布、又炭クロス９を挿入し大きい布又炭クロス９に固着、電極板を平行キャパシタとし、電極電位差で電気化学反応を起こし、電気エネルギーを中心に集めて蓄電する電池として利用、又水を電気的殺菌、電気化学的殺菌で滅菌する浄化体を示す図である。
【図２９】活性炭９の内部に電気化学ポテンシャル列の異なる種類の金属の丸形電極Ａ５、丸形電極Ｂ６、又丸形電極Ｄ８を離間し配置、湯、水、水蒸気、空気、圧縮空気、電解液１を通過させ、又回転し電極電位差で電気化学反応を起こし電気二重層の電気エネルギーを蓄電する電池、発電装置、又圧縮空気、水、湯を滅菌する浄化体として利用を示す図である。
【図３０】活性炭９の内部に電気化学ポテンシャル列の異なる種類の金属の丸形電極Ａ５、丸形電極Ｂ６、又丸形電極Ｃ７、丸形電極Ｄ８を離間し配置し、湯、水、水蒸気、空気、圧縮空気、電解液１を通過させ、又回転し電極電位差で電気化学反応の電気二重層の電気エネルギーを蓄電、発電装置、又圧縮空気、水、湯を滅菌する浄化体として利用する示す図である。
【図３１】円筒状１４を３層に重ね３層電極円筒とし円筒間にスペーサーの布、又炭クロス９を入れ離間し平行に並べ、外周に布、又炭クロス９を固着、電気化学ポテンシャル列の異なる種類の金属の電極Ａ５、電極Ｂ６、又電極Ｃ７、電極Ｄ８を離間し電極円筒を平行に並べ、電極を平行キャパシタとして湯、風、ガス、空気、圧縮空気、水、海水が通過させ静電気が発生、又電極電位差で電気化学反応を起こし、電気二重層の電気エネルギーを取り出す電池として利用、又管内を通過する湯、水、ガス、風、空気、圧縮空気で発生する静電気の放電、又電気的殺菌、電気化学的殺菌で滅菌する浄化体を示す断面図である。
【図３２】図３１の３層電極円筒の軸線方向図である。
【図３３】コイル状１５を３層に重ね３層電極コイルとしコイル間にスペーサーの布、又炭クロス９を挿入、離間し平行に並べ、電気化学ポテンシャル列の異なる種類の金属の電極Ａ５、電極Ｂ６、又電極Ｃ７、電極Ｄ８を離間し電極コイルを平行に並べ、外周に布、又炭クロス９を固着、電極を平行キャパシタとし湯、風、水、海水を通過させ静電気が発生、又電極電位差で電気化学反応を起こし電気二重層の電気エネルギーを取り出す電池として利用、又コイル状を通過する湯、水、ガス、空気、圧縮空気により発生する静電気の放電、又電気的殺菌、電気化学的殺菌で滅菌する浄化体を示す断面図である。
【図３４】図３３の３積層電極コイルの右側面図である。
【図３５】三角形状１６を３層に重ね３積層電極三角形状とし三角形状間にスペーサーの布、又炭クロス９を挿入、離間し平行に並べ、電気化学ポテンシャル列の異なる種類の金属の電極Ａ５、電極Ｂ６、又電極Ｃ７、電極Ｄ８を離間し電極三角形状を平行に並べ、外周に布、又炭クロスを固着、電極を平行キャパシタとし湯、風、水、海水を通過させ静電気が発生、又電極電位差で電気化学反応を起こし電気二重層の電気エネルギーを取り出す電池として利用、又三角形状を通過する湯、水、空気、高圧空気により発生する静電気の放電、又電気的殺菌、電気化学的殺菌で滅菌する浄化体を示す図である。
【図３６】図３５の３積層電極三角形状の右側面図である。
【図３７】面積を持った異なる金属の六角形の電気化学ポテンシャル列の異なる種類の金属の電極Ａ５、電極Ｂ６、又電極Ｃ７、電極Ｄ８を積層に離間し電極板を平行に並べ、電極を平行キャパシタとし、平行面、六角断面からの電極電位差で電気化学反応を起こし電池として利用、又電極を通過する水、空気により発生する静電気の放電、又電気的殺菌、電気化学的殺菌で滅菌する浄化体を示す図である。
【図３８】図３７の３積層電極の右側面図である。
【図３９】面積を持った異なる金属の四角形の電気化学ポテンシャル列の異なる種類の電極Ａ５、電極Ｂ６、又電極Ｃ７、電極Ｄ８を積層に離間し電極板を平行に並べ、電極を平行キャパシタとし、平行面、四角断面からの電極電位差で電気化学反応を起こし電池として利用、又電極を通過する水、空気により発生する静電気の放電、又電気的殺菌、電気化学的殺菌で滅菌する浄化体を示す図である。
【図４０】図３９の３積層電極の右側面図である。
【図４１】面積を持った異なる金属の丸形の電気化学ポテンシャル列の異なる種類の金属の電極Ａ５、電極Ｂ６、又電極Ｃ７、電極Ｄ８を積層に離間し電極板を平行に並べ、電極を平行キャパシタとし、平行面、丸形断面からの電極電位差で電気化学反応を起こし電池として利用、又電極を通過する水、空気により発生する静電気の放電、又電気的殺菌、電気化学的殺菌で滅菌する浄化体を示す図である。
【図４２】図４１の３積層電極の右側面図である。
【図４３】布又炭クロスの表面に電気化学ポテンシャル列の異なる種類の金属の電極を波形状にして接触面積を多くし、静電気を多く蓄電するため電極Ａ５、電極Ｂ６、又電極Ｃ７、電極Ｄ８を積層に離間し平行に並べ、スペーサーの布、又炭クロスを挿入、電極を平行キャパシタとし、風、太陽光、水、海水を通過させ静電気が発生、又電極電位差で電気化学反応を起こし電池として利用、又静電気の放電、又電気的殺菌、電気化学的殺菌で滅菌する浄化体を示す図である。
【図４４】布又炭クロスの表面に電気化学ポテンシャル列の異なる種類の金属の電極を山形状にして接触面積を多くし静電気を多く帯電するため電極Ａ５、電極Ｂ６、又電極Ｃ７、電極Ｄ８を積層に離間し平行に並べ、スペーサーの布、又炭クロスを挿入、電極を平行キャパシタとし、風、太陽光、水、海水を通過により静電気が発生、又電極電位差で電気化学反応を起こし電池として利用、又静電気の放電、又電気的殺菌、電気化学的殺菌で水を滅菌する浄化体を示す図である。
【図４５】微粒子活性炭２４の両面を可溶性吸収膜、又不溶性吸収膜２５で固着、表面に、電気化学ポテンシャル列の異なる種類の金属微粒子金属電極２０を固着、裏面に微粒子金属電極２３を固着して可溶性吸収膜カプセル２６に格納し薬として服用、体内の液体が電解液となり、電極電位差で電気化学反応が進み電気的殺菌、電気化学的殺菌で微生物を滅菌する薬、農薬、殺虫剤、又電池として利用する浄化体を示す図である。
【図４６】微粒子活性炭２４の両面を可溶性吸収膜、又不溶性吸収膜２５で固着、表面に電気化学ポテンシャル列の異なる種類の金属の微粒子金属電極Ａ２０を固着、さらに可溶性吸収膜、又不溶性吸収膜２５を介し微粒子金属電極Ｂ２１を固着、裏面には可溶性吸収膜、又不溶性吸収膜２５を介し微粒子金属電極Ｄ２３を固着し両面を可溶性吸収膜、又不溶性吸収膜２５で被い電極電位差で電気化学反応の強弱を電極の組み合わせで制御し電気的殺菌、電気化学的殺菌で細菌、ウイルス、癌患部、カビ、抗生物質耐性菌を攻撃し滅菌、又発生する静電気でワクチンの培養、製造に利用する薬品、農薬、殺虫剤、又電池として利用する浄化体を示す図である。
【図４７】微粒子活性炭２４の両面を可溶性吸収膜、又不溶性吸収膜２５で固着、表面に電気化学ポテンシャル列の異なる種類の金属の微粒子金属電極Ｃ２２を固着、さらに可溶性吸収膜、又不溶性吸収膜２５を介し微粒子金属電極Ｂ２１を固着、さらに可溶性吸収膜、又不溶性吸収膜２５を介し微粒子金属電極Ａ２０を固着、可溶性吸収膜、又不溶性吸収膜２５を介し微粒子金属電極Ｄ２３を固着、両面を可溶性吸収膜、又不溶性吸収膜２５被い５層の膜の電極電位差で電気化学反応の強弱を電極の組み合わせで制御し電気的殺菌、電気化学的殺菌で細菌、ウイルス、癌患部、カビ、抗生物質耐性菌を攻撃し滅菌、又発生する静電気でワクチンの培養、製造に利用する薬品、農薬、殺虫剤、又電池として利用する浄化体を示す図である。
【図４８】微粒子活性炭２４の両面を可溶性吸収膜、又不溶性吸収膜２５で固着、表面に電気化学ポテンシャル列の異なる種類の金属の微粒子金属電極Ｃ２２を固着、さらに可溶性吸収膜、又不溶性吸収膜２５を介し微粒子金属電極Ｂ２１を固着、さらに可溶性吸収膜、又不溶性吸収膜２５を介し微粒子金属電極Ａ２０を固着、可溶性吸収膜、又不溶性吸収膜２５を介し微粒子金属電極Ｄ２３を固着、両面を可溶性吸収膜、又不溶性吸収膜２５で微粒子活性炭２４を被い５層の膜の電極電位差で電気化学反応の強弱を電極の組み合わせで制御し電気的殺菌、電気化学的殺菌で細菌、ウイルス、癌患部、カビ、抗生物質耐性菌を攻撃し滅菌、又発生する静電気でワクチンの培養、製造に利用する薬品、農薬、殺虫剤、又電池として利用する浄化体を示す図である。
【発明を実施するための形態】
【００３８】
浴槽の湯は入浴後、残り湯を捨て、新しい水に入れ替え沸かすとなると、水道料金の他、光熱費もかかり、水道料金節約、下水道排水料金節約、水資源節約、エネルギー節約、二酸化炭素排出量を削減、温暖化ガス排出量を削減、地球温暖化防止が出来ない。
【００３９】
現在、国民１人１日あたりの生活用水使用量は約３００リットル、家庭で使用される水の２４％は風呂で使われているため、風呂を沸かすたびに浴槽の水を入れ替え、水を浪費する（東京都水道局調べ２０００年）。
【００４０】
１人が１日に出す生活雑排水中の汚れの量はＢＯＤ負荷量４３ｇ／日、そのなかで風呂水の汚れはＢＯＤ負荷量９．１ｇで２１％を占め環境汚染をしている（旧環境庁水質保全局、生活雑排水対策推進指導指針より）。
【００４１】
浴槽の垢は中央で浮遊し、対流で浴槽の淵に灰色に２００〜３００ｍｍ幅に付着、微生物で汚染され、底は垢が沈殿、ぬるぬるし不衛生のため、浴槽は洗剤で洗い新しい水で洗浄、さらに浴室を清掃するため大量の汚れた生活雑排水を排水し環境汚染をする。
【００４２】
実験で風呂の新しい湯は微生物で汚染されていないが、しかし入浴後、一般細菌は１８３３３〜３１１８８ＣＦＵ／ｍＬ個を検出し、入浴するたびに湯は汚染され、残り湯は足し湯機能を利用し加熱するたびに微生物が増殖する。適温２０〜４５℃に達し、微生物は繁殖し、湯が汚染される。表３及び図１に示すように、時間経過に従い細菌が増え不衛生であり、そのため洗剤で浴槽、風呂場を清掃するので生活雑排水を排水、新水に入れ替えるため水の削減が出来ずエネルギーを浪費する。
【００４３】
【表３】
2011078958.tif 000005
【００４４】
以上の実験結果の根拠を、以下の表に示す。
【００４５】
【表４】
2011078958.tif 000006
2011078958.tif 000007
2011078958.tif 000008
2011078958.tif 000009
2011078958.tif 000010
2011078958.tif 000011
2011078958.tif 000012
2011078958.tif 000013
2011078958.tif 000014
2011078958.tif 000015
2011078958.tif 000016
2011078958.tif 000017
2011078958.tif 000018
【００４６】
本発明者は、実験で電圧、電流、抵抗を確認するため電気化学ポテンシャル列の異なる種類の金属、トタン材、銅材、銀材、（Ｔ−７１０１）の電極間に炭クロスを挿入、３積層に重ね大きい炭クロスに固着、３積層電極と溶解液（風呂の残り湯５０ｍｌ）をプラスチック容器入れ、３日間電圧、電流、抵抗を測定した。異なる電極間に電圧、電流、抵抗値が発生し電圧、電流が徐々に増えその後又減少する「充電、放電」を水が有る限り長期に渡り繰り返す水電池になり、測定値は表５に示す通りであり、電極形状は図２に示す通りである。
【００４７】
【表５】
2011078958.tif 000019
【００４８】
更に、トタン板、銅板、銀板の電極間に布を挿入し３積層電極とし（Ｔ−７１０２）３日間を測定すると水電池になり放電、充電を繰り返し続けて測定値は表６に示す取りである。
【００４９】
【表６】
2011078958.tif 000020
【００５０】
以上の実験結果の詳細を表７に示す。
【００５１】
【表７】
2011078958.tif 000021
【００５２】
供試した電解液を分析するとＣ、Ｏ、Ｓｉ、Ｃａ、Ｆｅ、Ｃｕ、Ｚｎが検出された。トタン板の亜鉛は糸状に溶出、酸化で黒く変色、水の電気分解の電気化学反応が起きる（表７，表８参照）。
【００５３】
【表８】
2011078958.tif 000022
【００５４】
【表９】
2011078958.tif 000023
2011078958.tif 000024
2011078958.tif 000025
【００５５】
以上の亜鉛電極（トタン板）の表面は電気化学反応（酸化還元反応）で亜鉛が糸状に、１００μｍ×１１ｍｍ溶出している。（図３、４参照）、
【００５６】
上述の金属イオン測定実験で、電極Ｔ−７１０２である、六角亜鉛板（トタン板）、銅板、銀板を離間し布を挿入し３積層電極を大きい布に固着し、電極と電解液５０ｍｌ（風呂の残り湯）をプラスチック容器に入れ１０日経過のイオンを測定した。亜鉛イオンは３．９９ｐｐｍ、銅イオンは０．１１ｐｐｍに大幅に増え、銀イオンは微量に増を確認し、電気化学反応が起こった（表１０参照）。
【００５７】
更に、炭クロスの表側に銀線、裏側に銅線を固着し（以下、浄化体という）、浴槽に浸漬して風呂を沸かし、その後浄化体を撤去して風呂を利用、６ケ月経過後の残り湯の金属イオンを測定し、測定値を比較した結果を表１０に示す。
【００５８】
【表１０】
2011078958.tif 000026
【００５９】
上記電極、亜鉛材（トタン板）、銅材、銀材の３積層電極と電解液（風呂の残り湯）をプラスチック容器に５０ｍｌ入れ静電気容量を測ると電位は−１ｋｖ、乾燥状態で電極単体では−０．５ｋｖの高静電気を帯電する（１２時間経過測定）。測定器はスタティックロケーター、型式：Ｚ−２０１、ホーザン株式会社製で測定する。
【００６０】
実験で浴槽の淵と底に電極Ａ５（銀材）、電極Ｂ６（銅材）を組み込んだ浄化体を固着し、水を交換せず７日間の入浴に供し、毎日浴槽の水を抽出し細菌と黴とを検出した。風呂釜を清掃した垢の残りかすが釜より剥離し浴槽内は微生物で汚染され、浴槽の中央を浮遊するが一般細菌、黴、酵母は湯の対流で淵の浄化体に付着し、微生物の増殖を防ぎ、滅菌効果あることがわかった（表１１，図５、６参照）。
【００６１】
【表１１】
2011078958.tif 000027
【００６２】
電極の亜鉛材（トタン板）１枚を炭クロスに固着した１層電極と銀、亜鉛（トタン板）、銅を離間し炭クロスを挿入した３積層電極を大きい炭クロスに固着、各電極を電解液に入れ、金属イオンの発生量を比較すると金属イオンは３積層電極の方は１層電極より多く溶出、電食作用、腐食作用は異なる起電力レベルの電極電位差が大きい３積層電極は金属イオンが強く電気化学反応の反応性を加速する。
【００６３】
金属電極の固体を細かい粉体、微粒子に分割加工すると総表面積は飛躍的に大きくなり、静電気は表面に多く帯電、又金属イオンを多く発生する。
【００６４】
浄化体は浴槽の淵、底に固着、汚れは浄化体に付着、浴槽の清掃は水洗いで終り、洗剤で洗う必要が無くなり洗剤汚染が防げることがわかった。
【００６５】
更に、実験でアルミニウム線１．０ｍｍと銀線０．３ｍｍを炭クロスの上に離間し配置、培養液（１００ｍｌ）を入れて浄化体を製作し、一般細菌（大腸菌）を入れ観察すると電気化学反応により細菌は銀側に引寄せられ、さらに単１形電池、１．５Ｖを接続、電流が流れ電気化学反応（酸化還元作用）で大腸菌は通電１２時間後に滅菌し微生物の滅菌時間が短縮、滅菌効果が向上する。
【００６６】
風呂の残り湯を繰り返し利用することが出来、水道料金節約、下水道排水料金節約、水資源節約、エネルギー節約、二酸化炭素排出量を削減、温暖化ガス排出量を削減、地球温暖化防止が出来る。
【００６７】
更に実験で浴槽の淵と浴槽の底に上記浄化体を固着し、浴槽の水の汚れ、微生物の増殖を防ぎ減菌対策ができ、残り湯の利用期間は１日間から５日間に延び、水資源節約、二酸化炭素を削減出来ることがわかった。
【００６８】
浄化体は微生物で汚染され、垢で汚れた場合でも洗濯、乾燥し再利用が出来る。
【００６９】
溶解液は布、又炭クロスにすぐに浸透しない、しかし布、炭クロスに電極Ａ（銀材）と電極Ｄ（アルミニウム材）を固着、起電力の差が大きいと静電気の電流が流れる静電気作用、イオン作用で溶解液は短時間で浸透する。
【００７０】
更に実験で銀材、亜鉛材、銅材（Ｔ−８００１）と銀材、アルミニウム、銅材（Ｔ−８００３）の電極は抗菌効果が優れることを確認した。
【００７１】
大腸菌の滅菌実験は電気化学ポテンシャル列の異なる種類の金属で、起電力レベルを持つ金属、銀材、亜鉛材（トタン板）、銅材（Ｔ−８００１）を離間し炭クロスを挿入した３積層電極は大きい炭クロスに固着、培養液１００ｍｌ入れ、大腸菌を培養、３５℃に保温、２４時間で大腸菌の検体を１，０００個／ｍｌに倍希釈、生物汚染測定を３Ｍ社製ペトリフィルム、チッソ株式会社製サニ太くんで確認した。細菌の死滅を確認でき、大腸菌群のコロニーが青色〜うす緑色に変色せず、菌は検出せず完全に抗菌効果を検証できた。供試後の大腸菌群の死滅を図７に示す。
【００７２】
コントロールとして浄化体を除去したイオン水１００ｍｌ培養液に大腸菌を入れ培養、３５℃に保温、２４時間培養、大腸菌は検体を１，０００個／ｍｌに倍希釈、微生物汚染測定をチッソ株式会社製サニ太くんで確認した。細菌は死滅せず、大腸菌群のコロニーが青色〜緑色に発色し菌の検出を確認した。供試後の大腸菌群の発育、増殖を図８に示す。
【００７３】
大腸菌の滅菌実験として電気化学ポテンシャル列の異なる種類の金属で、起電力レベルを持つ金属電極は銀材、アルミニウム材、銅材（Ｔ−８００３）を離間し炭クロスを挿入した３積層電極（図９参照）は大きい炭クロスに固着し、培養液１００ｍｌ入れ大腸菌を培養、３５℃に保温、７２時間点で大腸菌は生物汚染測定のペトリフィルム、チッソ株式会社製サニ太くんで確認した。細菌は死滅し、大腸菌群のコロニーが青色〜うす緑色に変色せず、抗菌効果は優れていることがわかった。供試後の大腸菌群の死滅する図７に示す。
【００７４】
大腸菌の滅菌実験として電気化学ポテンシャル列の異なる種類の金属で、起電力レベルを持つ金属電極は銀材、亜鉛材（トタン板）、銅材（Ｔ−８００１）と銀材、アルミニウム材、銅材（Ｔ−８００３）の離間に炭クロスを挿入、３積層電極を大きい炭クロスに配置、培養液１００ｍｌ入れた試験液とコントロール（イオン水３９０ｍＶ）の酸化還元電位は３、６、２４、７２時間経過を測定、７２時間後、試験液Ｔ−８００１は２７５ｍＶ、Ｔ−８００３は２８３ｍＶで酸化還元電位がマイナスに下り降順の還元、上がる昇順の酸化を繰り返すことがわかった（図１０参照）。電極と試験液の間に不対電子が発生しフリーラジカルになると考えられる。表１２に実験結果を示す。
【００７５】
【表１２】
2011078958.tif 000028
【００７６】
実験を開始して７２時間後の試験液の金属イオンの発生を調べるためパックテストを行った。株式会社共立理化学研究所製で測定、Ｔ−８００１で亜鉛イオンが５ｍｇ／Ｌ（ｐｐｍ）、銅イオン０．5ｍｇ／Ｌ（ｐｐｍ）、Ｔ−８００３で銅イオン１．０ｍｇ／Ｌ（ｐｐｍ），アルミニウムイオン０．５ｍｇＡｌ／Ｌ（ｐｐｍ）、銀イオン≒０近い微量の発生を確認した。電気化学反応（酸化還元反応）が起り、表１０と同じ傾向の金属イオンが生成する。
【００７７】
電極に銀材、アルミニウム材、銅材の離間に炭クロスを挿入、３積層電極を炭クロスに固着、電解液（イオン水）に入れると２４〜７２時間経過後、アルミニウムイオンが０．５ｍｇＡｌ／Ｌ（ｐｐｍ）溶出る（表１３参照）
【００７８】
【表１３】
2011078958.tif 000029
【００７９】
以上の実験結果の詳細を表１４に示す。
【００８０】
【表１４】
2011078958.tif 000030
2011078958.tif 000031
2011078958.tif 000032
2011078958.tif 000033
2011078958.tif 000034
2011078958.tif 000035
【００８１】
防カビ評価実験のコントロールは炭クロス（わし炭）、銀材、亜鉛材（トタン板）と銅材を離間し炭クロスを挿入した３積層電極を大きい炭クロスに固着、銀材、アルミニウム材と銅材の離間に炭クロスを挿入した３層電極を大きい炭クロスに固着、銀材―炭クロス、銅―炭クロス、亜鉛材（トタン板）―炭クロス、アルミニウム材―炭クロスの７組の評価試験片を作成、供試カビはクロコウジカビ、アカカビの２種類を使用した。（表１５参照）
【００８２】
【表１５】
2011078958.tif 000036
【００８３】
防カビの実験は防カビの評価として防カビーＡ、防カビーＢ（防カビーＢα、防カビーＢβ）、防カビーＣの３評価行う（表１５参照）。実験結果は表１６の通りである。
【００８４】
抗カビを評価すると、防カビーＢβの方法でカビ生育抑制作用を表１６で確認する。
【００８５】
防カビーＣ評価における酸化還元電位（ＯＲＰ）値は下がる降順の還元、又上がる昇順の酸化を繰り返す、変移は図１１の通りで、カビに対し試験片毎の傾向は確認できない。
【００８６】
電気化学ポテンシャル列の異なる種類の金属で起電力レベルを持つ３積層電極は抗菌、抗カビ効果を確認出来た（表１６、１７参照）。
【００８７】
【表１６】
2011078958.tif 000037
【００８８】
無機系抗菌剤とりわけ銀および銅を抗菌効果の主体とするものが多方面で使用され、又銅イオンおよび銀イオンの抗菌性が証明されている。（例えば、高山正彦、他著、「防菌防黴」日本防菌防黴学会誌、平成６年９月１０日発行、１９９４ＶＯＬ．２２、ＮＯ．９、Ｐ．１３）しかしながら、単独の金属イオンでは濃度が高くないと十分な抗菌作用を発揮できない。
【００８９】
防カビーＡの培養実験はＪＩＳＺ２９１１に準じた方法により寒天培地でカビ胞子懸濁液をスプレーするが、寒天の固まった状態のコロイドのゲルは試験片から発生する静電気放電、コロナ放電、金属イオン、フリーラジカル作用がゲルの電気泳動、ブラウン運動作用で抗カビ効果を弱める。
【００９０】
【表１７】
2011078958.tif 000038
【００９１】
以上の実験の詳細を表１８に示す。
【００９２】
【表１８】
2011078958.tif 000039
2011078958.tif 000040
2011078958.tif 000041
2011078958.tif 000042
2011078958.tif 000043
2011078958.tif 000044
2011078958.tif 000045
2011078958.tif 000046
2011078958.tif 000047
2011078958.tif 000048
2011078958.tif 000049
2011078958.tif 000050
2011078958.tif 000051
【００９３】
新型インフルエンザ、鳥インフルエンザ、ノロウイルス、Ｏ１５７ウイルス、エイズウイルス、炭そ菌、微生物のパンデミック、又ウイルス兵器の被害を電気的殺菌、又電気化学的殺菌で国民の健康を守る感染防御として応用する。
【００９４】
抗生物質耐性菌（多剤耐性セラチア菌、多剤耐性緑のう菌、メチシリ耐性黄色ブドウ球菌、バイコマイシン耐性腸球菌、風邪の抗生物質耐性菌）は電気化学反応の静電気放電、金属イオン、コロナ放電、フリーラジカルの電気的殺菌、又電気化学的殺菌で滅菌する。
【００９５】
川崎病の原因である複数細菌、ブドウ球菌、桿菌の滅菌、血管内皮細胞にＨＳＰ６０という特殊な蛋白質の消滅に静電気放電、コロナ放電、フリーラジカルを利用し電気的殺菌、又電気化学的殺菌で微生物を滅菌する。
【００９６】
結核菌、ヘリコバクター・ピロリ菌は静電気放電、コロナ放電、フリーラジカルを利用し電気的殺菌、又電気化学的殺菌で微生物を滅菌する。
【００９７】
癌患部の治療は水分で収縮する可溶性吸収性膜（人工繊維布、吸収性フィルム）、又不溶性吸収性膜に活性炭を挟み、異なる起電力レベルを持つ金属で電極電位差をつけた電極を微細な球状粒子状、微粒子状態に加工し、可溶性吸収性膜、又不溶性吸収性膜の表面と裏面に固着、体内、体外の患部に固着、電気化学反応で発生する静電気放電、金属イオン、フリーラジカル、蓄電作用で患部を攻撃し治療、又癌患部の細胞の温度は１℃高いため電気化学反応が正常細胞より加速され治療され、治療後、可溶性吸収性膜は水に溶けて排泄する。
【００９８】
癌の増殖を抑制、又癌細胞が血管内を流れるのを電極と血液を電解液として利用し金属イオンを発生、又静電気で癌細胞を収攬、コロナ放電で電気的殺菌、又電気化学的殺菌で治療する。
【００９９】
癌患者は放射線治療、薬の副作用で髪毛が抜けるが浄化体は患部のみに処置するため副作用が少なく毛の抜けることを防げる。
【０１００】
病気の細菌を滅菌する電気的殺菌、電気化学的殺菌手段は電極と電解液との界面の電気化学反応により電解液は酸化還元電位がマイナスへ下がり降順（還元）、昇順（酸化）を繰り返し、フリーラジカル、金属イオン、静電気放電、コロナ放電が作用するように、異なる金属に電極電位差をつけた金属電極、活性炭を微細な球状粒子状、又微粒子、ナノメーターに加工、可溶性吸収性膜に固着、飲み薬として服用、又不溶性吸収性膜に固着し塗布薬として応用する。
【０１０１】
大腸菌は銀材、亜鉛材（トタン板）、銅材の組み合わせのときは滅菌で制菌効果あり、又カビの場合は銀材、亜鉛材（トタン板）、銅材の組み合わせに生育抑制作用がある。
【０１０２】
大腸菌は銀材、アルミニウム材、銅材の組み合わせのとき滅菌で制菌あり、しかしカビの場合は銀材、アルミニウム材、銅材の組み合わせのとき増殖するため、異なる電極の組み合わせにより発生する静電気の強弱で微生物の増殖、育成抑制の微生物制御に応用出来る。
【０１０３】
浄化体は新型インフルエンザ、鳥インフルエンザの防菌マスクに応用する。
【０１０４】
浄化体は家庭用カビ、皮膚病、水虫の滅菌に応用する。
【０１０５】
虫歯の根尖病層部の防腐対策として電気化学ポテンシャル列の異なる種類の金属と活性炭を組み込み金属の電位差で電気化学反応を起こす浄化体で細菌の増殖を防ぐ。
【０１０６】
本浄化体を首に巻き、喉の炎症を抑えるため静電気放電、コロナ放電、イオン生成させて炎症を抑えに応用する。
【０１０７】
布、又炭クロスに電極Ａ５、電極Ｂ６、電極Ｃ７、電極Ｄ８を離間し組み合わせて固着、静電気の電位差つけ、電気化学反応を加速させ電流が流れ、イオン発生で患部に薬を浸透させ薬効を促進する。
【０１０８】
温水洗浄便座のおしり洗浄、ビデ洗浄用の水を電気化学ポテンシャル列の異なる種類の金属電極を組み込んだ浄化体で洗浄水を滅菌、細菌性膣症を予防する。
【０１０９】
布、又炭クロスに異なる電極に電位差をつけて組み込み高静電気を発生させ、身体の血液の循環を高める健康増進に応用する。
【０１１０】
布、又炭クロスに異なる電極を組み込み湿らせた状態で神経細胞体に静止状態の電圧−６０〜−８０ｍＶであるが、刺激を受けるときの電圧＋４０〜＋６０ｍＶを細胞膜に活動電位を与え、神経回路の復旧、電気的刺激で筋肉の収縮現象を応用し筋肉トレーニングに応用する。
【０１１１】
本浄化体により腰痛の患部に静電気の電気化学反応で電流を流し神経、筋肉に刺激を与え疲労回復せさる。
【０１１２】
認知症の患者の頭部に布、炭クロスに異なる電極に電位差をつけて組み込み湿らせた状態で神経細胞体、細胞膜に電圧＋４０〜＋６０ｍＶの活動電位を与え血液の循環を活発にし、神経細胞を破壊する特殊蛋白質を静電気放電、コロナ放電で破壊し認知症の進行を遅らせ治療に応用する。
【０１１３】
水銀、カドミニゥム汚染で神経系統、筋肉に水銀、カドミウムが蓄積し肉体的障害の原因物質を静電気の電流が流れ、静電気放電、コロナ放電、金属イオン、フリーラジカルで有害物質を体内から排出、又静電気放電作用で原因物質を消去する。
【０１１４】
本浄化体で寝たきりの高齢者に電気化学反応より静電気放電、イオン発生で神経、肉に刺激を与え血液の循環を良くし床ずれを防止する。
【０１１５】
浄化体は浴槽、貯水タンク、プール、クーリングタワー、浄水施設、切削油、食用油、石油の微生物の増殖を抑制する滅菌処理に応用する。
【０１１６】
本浄化体で空気、圧縮空気、水、水蒸気、給湯器の湯、飲料水、食品、魚類、肉、農産物、野菜、穀物、衣類、材木、食器を滅菌して保存、又倉庫、冷蔵庫内で繁殖する微生物の滅菌に応用する。
【０１１７】
布、又炭クロスに異なる電極を組み込み湿らせた状態で電極が接触し、電極と電解液さらに活性炭電極の間で電気化学反応が起こり、放電、充電を繰り返す電池として水蒸気、湯、水、海水、風、太陽光を利用して燃料電池、又非常用発電に応用する。
【０１１８】
電気化学ポテンシャル列の異なる種類の金属で起電力レベルを持つ電極、又微粒子電極を布、又炭クロス固着、静電気−０．５〜−１．０ｋｖを帯電、放電、充電、コロナ放電、イオン発生で空気を浄化、滅菌する空気清浄機、水、湯、空気、風、圧縮空気の浄化体に応用する。
【０１１９】
実験で電気化学ポテンシャル列の異なる種類の金属で起電力レベルを持つ電極を離間し
組み合わせ電位差をつけ大きい炭クロスに固着、酸化還元電位計（ＯＲＰ計）で測定、イオン水３９０ｍＶのＴ−８００１の溶液は７２時間経過で酸化還元計がマイナスに下がり２７５ｍＶに降順（還元）、昇順（酸化）を繰り返すため還元水を健康増進に応用する（図１０参照）
【０１２０】
本浄化体は浴槽内の壁、タイルの目地、窓枠のパッキンに生える家庭用カビの滅菌に応用する。
【０１２１】
本浄化体で浴槽の水を還元し還元水で体の養生に応用する。
【０１２２】
建物床下に湿気、細菌対策で除湿用炭、乾燥剤を敷く、又シロアリ駆除対策で強烈の薬剤を散布するため薬汚染で健康に悪く、環境汚染の原因となるので浄化体で静電気放電、コロナ放電、イオン生成させて害虫を駆除し健康を維持する。
【０１２３】
微生物の滅菌は酸化チタン、硫黄の細かい粉体の粒子、又微粒子を電気化学ポテンシャル列の異なる種類の金属で起電力レベルを持つ電極に付加し滅菌効果が高まる。
【０１２４】
人を収容できるベット、又箱に電解液の温度調整機構を付け、電気化学ポテンシャル列の異なる種類の金属で起電力レベルを持つ金属電極、又電極の微粒子を布、又炭クロス固着し電解液に入れ、電解液の温度を上昇させ電気化学反応を加速させ、静電気発生、コロナ放電、イオン生成、還元水、酸化水で体の健康回復、養生に応用する。
【０１２５】
本浄化体で微生物制御で植物、動物の発育促進、培養増殖、毛、爪の生育に応用する。
【０１２６】
袋、ごみ袋に電気化学ポテンシャル列の異なる種類の金属で起電力レベルを持つ電極、又電極の微粒子を固着、静電放電、コロナ放電、イオン生成で細菌、カビの増殖を制御、又滅菌し悪臭の発生を防ぐ。
【０１２７】
浄化体の金属電極幕１９を溶解液、海水に設置、又乾燥状態で設置、電極と布、又炭クロス間に発生する静電気、コロナ放電、フリーラジカル、金属イオン、電流、電圧を保持する浄化体間を磁気波、電磁波、放射線、宇宙線、放射性廃棄物の放射線、赤外線、Ｘ線、電離放射線が透過するとき電気化学反応で電気エネルギーに変え放電、充電し有害放射線の透過を遮断する防護幕に応用する。
【０１２８】
電気化学ポテンシャル列の異なる種類の金属で起電力レベルを持つ電極、又微粒子電極を布、又炭クロスに固着、電極の間に太陽光、気体、風、水、海水を通し、静電気を生成させ電極と太陽光、気体、風、水、海水の界面で電子がやりとりされ電流が流れ電気二重層キャパシタで電気エネルギーを活性炭電極に蓄電する燃料電池に応用する。
【０１２９】
雪、氷、ブリザードの低温状態で電極と低温の空気、又電極と雪、氷の固体の接触（固体―固体界面）の界面において電気化学反応が進行、電子がやりとりされる電気二重層キャパシタで電気エネルギーを蓄電する燃料電池に応用する。
【０１３０】
電気化学系の電気二重層の１〜５ｎｍの内外の距離に１Ｖ近い電圧をかけ電界（電場）に存在する強い電界からのエネルギーを引き出しに応用する。
【０１３１】
電気化学ポテンシャル列の異なる種類の金属で起電力レベルもつ電極間で電極電位差が有り、水がある限り電気化学反応が起こり、電圧、電流が流れるため電算機の記憶媒体に応用する。
【０１３２】
海水、温泉水、川の水から有用鉱物を浄化体で静電気の電流の放電、充電による静電気作用、イオンの発生により鉱物粒子を集める浄化体に応用する。
【０１３３】
海水、温泉水、川の水から有害物質を静電気の電流の流れ、帯電、放電、コロナ放電、イオン生成により物質を浄化体に付着させ有害物質を回収に応用する。
【０１３４】
金属電極は表１の金属の電極Ａ５、電極Ｂ６、電極Ｃ７、電極Ｄ８を組み合わせ最適な電極電位差を電気科学反応の原動力として電気的殺菌、電気化学的殺菌で滅菌、又燃料電池に応用する。
【０１３５】
金属電極Ａ５、微粒子金属電極Ａ２０は金材、白金材、銀材を利用する。
【０１３６】
金属電極Ｂ６、微粒子金属電極Ｂ２１はステンレス鋼材、銅材、真鍮材、黄銅材を利用する。
【０１３７】
金属電極Ｃ７、微粒子金属電極Ｃ２２は、すず材、ブリキ（すずめっきした鉄板）、活性炭、ニッケル材を利用する。
【０１３８】
金属電極Ｄ８、微粒子金属電極Ｄ２３は鉄または鋼材、クロム材、亜鉛材、トタン（亜鉛めっき鋼板）、亜鉛めっき線材、アルミニウム材、酸化チタン材を利用する。
【０１３９】
布、又炭クロス９は布（布、不織布、ゴム、合成樹脂）、又炭クロス（わし炭、竹炭、活性炭を布に固着）を利用する。
【０１４０】
微粒子活性炭２４は微粒子活性炭、カーボンブラック、カーボンナノチューブを利用する。
【０１４１】
可溶性吸収性膜（吸収性人工繊維布、吸収性フィルム）、不溶性吸収性膜２５を利用する。
【０１４２】
以下、本発明の浄化体の好適な態様を、図面を参照して説明する。図１２は浴槽３の浴槽の淵１２に、筒状もしくは板状の布又炭クロス９の表面に電気化学ポテンシャル列の異なる種類の金属電極Ａ５（銀材）、電極Ｄ８（亜鉛材）を表面に離間し固着し、且つ裏面に電極Ｂ６（銅材）を固着した浄化体１１を取り付けている。尚、表面もしくは裏面の電極に、浴槽の水面に浮遊する垢、脂肪を付着させるフィルター４を取り付けても良い。
【０１４３】
又、浴槽３の底１３に、板状の布又炭クロス９の表面に電気化学ポテンシャル列の異なる種類の金属電極Ａ５（銀材）、電極Ｄ８（亜鉛材）を表面に離間し固着し、且つ裏面に電極Ｂ６（銅材）を固着した浄化体１１を取り付けている。表面もしくは裏面の電極にフィルター４を取り付けても良い。浄化体１１と、浴槽３の底１３との間に、移動防止用のスベリ止めシート１０を固着している。
【０１４４】
本実施の形態の浄化体によれば、電極電位差で電気化学反応（酸化還元反応）を起こし、浴槽３の淵１２近傍の湯と、底１３の近傍の湯に対して滅菌、防かび効果を発揮できる。    尚、貯水槽、プール、クーリングタワー、水道管内の水、給水用配管、給湯用配管等に浄化体を設置しても良い。
【０１４５】
淡水魚場では浄化体の電極電位差で電気化学反応（酸化還元反応）を起こし直流静電気が発生し放電するため、又淡水の酸化還元電位計は降順（還元）、昇順（酸化）を繰り返えすため淡水魚場において発生する水綿の発生防除、鰓病菌の防除、藻の発生を防除に利用する。
【０１４６】
海水の流れで浄化体の電極電位差で電気化学反応を起こし、電圧、電流が発生、静電気放電により静電気放電の高圧破壊、電流破壊でオニヒトデの防除に応用する。
【０１４７】
蚊のボウフラの駆除に水溜りに浄化体で電極電位差により電気化学反応を起こし、水がある限り放電、充電を繰り返す水電池になり静電気放電の高圧破壊、電流破壊利用し蚊の卵の発育を阻害し防除に応用する。
【０１４８】
ハム、ソウセイジ工場でハムをスライラするためハムのテンパリング（表面凍結）処理
にアルコール製剤、次亜塩酸ナトリュウムを使用するが薬剤の濃度を一定に管理する衛生面で困難、処理後の洗浄、塩素の臭み除去が大変であるため浄化体の電極電位差で電気化学反応を起こし、抗菌、抗カビ、抗酵母処理した滅菌水を利用し後処理をなくす。
【０１４９】
病院の医療従事者、医師の手術前の手の洗浄に浄化体の電極電位差で電気化学反応を起こし抗菌、抗カビ、抗酵母処理した滅菌水を使用し患者への細菌、カビ、酵母感染予防に応用する。
【０１５０】
歯科の圧縮空気は細菌、カビで汚染されているため虫歯を６〜１０回消毒し、金属をかぶせる治療をするが１〜２年経過すると歯の炎症、痛みが再発する。対策として浄化体の電極電位差で電気化学反応を起こし静電気を発生させて圧縮空気を滅菌に応用する。
【０１５１】
健康診断を受ける受診者の細菌感染を防ぐために肺活量を測定する測定機器はフィルター、吐く息が通過する管に浄化体を設置し電極電位差で電気化学反応を起こし静電気放電で細菌、カビ、酵母を滅菌する浄化体を応用する。
【０１５２】
温水洗浄便座、太陽熱温水器の湯は細菌、カビ、酵母菌で汚染されているため不衛生で、対策として浄化体の電極電位差で電気化学反応を起こし管内の湯を静電気放で細菌、カビ、酵母を滅菌処理に応用する
【０１５３】
風呂水吸水ホースの浄化フィルターを細菌検査すると５，０００ＣＦＵ／ｍｌ以上の細菌、カビが付着して不衛生である。吸水ホースを利用した風呂の残り湯、洗濯機は細菌で汚染されているため浄化体で水を滅菌する。
【０１５４】
図１３は、浴槽３の淵１２に固着する浄化体１１の斜視図である。金属電極Ａ５（銀材）、電極Ｄ８（亜鉛材）、電極Ｂ６（銅材）は、ワイヤ状であって、布又炭クロス９の面において直線的に配置されている。
【０１５５】
図１４は、浴槽３の底１３に固着する浄化体１１の斜視図であり、基本的には図１３に示すもの同じ構成である。移動防止用のスベリ止めシート１０は、ゴム製であって底１３に当接する複数の突起を有する。
【０１５６】
図１５は、布又炭クロス９の表面に固着される電極Ａ５（銀材）の変形例であり、ここでは格子状又網状（１７）に固着されている。
【０１５７】
図１６は、布又炭クロス９の表面に固着される電極Ｂ６（銅材）の変形例であり、ここでは渦巻き状であって電極は左又右巻きに巻かれている。
【０１５８】
図１７は，布又炭クロス９の表面に固着される電極Ａ５、電極Ｂ６、電極Ｄ８の変形例を示し、ここでは帯状の電極を横に並べて固着している。
【０１５９】
図１８は、布又炭クロス９の表面に固着される電極Ａ５、電極Ｂ６、電極Ｃ７、電極Ｄ８の変形例を示し、ここでは帯状の電極を離間し縦に並べて固着している。
【０１６０】
図１９は、ピラミット形に布又炭クロス９を構成し、その表面に電極Ａ５、電極Ｂ６、電極Ｃ７、電極Ｄ８を離間し固着された変形例を示し、矩形板状の各電極は、互いに離間し配置されている。
【０１６１】
図２０は、布又炭クロス９の表面に円状の電極Ｄ８を配置し、その周囲に右回りの渦巻き状に電極Ａ５、電極Ｂ６、又電極Ｃ７を固着している変形例を示す。
【０１６２】
図２１は、布又炭クロス９の表面に円状の電極Ｄ８を配置し、その周囲に左回りの渦巻き状に電極Ａ５、電極Ｂ６、又電極Ｃ７を固着している変形例を示す。
【０１６３】
図２２は、布又炭クロス９の表面に立設するようにして矩形板状の電極Ａ５、電極Ｂ６、電極Ｃ７、電極Ｄ８を離間し平行に並べた変形例を示す図である。各電極の間にスペーサーとして布又炭クロス９を挿入、平行キャパシタを構成することもできる。
【０１６４】
図２３は、布又炭クロス９からなる複数枚の金属電極幕状１９の片面に、電極Ａ５、電極Ｂ６、又電極Ｃ７、電極Ｄ８を離間し並べて固着し、かかる布又炭クロス９を積層した変形例を示す。カーテン１９の間にスペーサーとしての布又炭クロス９を挿入、平行キャパシタを構成することもできる。
【０１６５】
図２４は、布又炭クロス９の面に電極Ｂ６、又Ｄ８、電極Ａ５、又電極Ｃ７のいずれかを有する面積を持った２つの電極１８を、布又炭クロス９を介在させて離間し平行に並べた変形例を示す。電極１８の間にスペーサーとして布又炭クロス９を挿入、平行キャパシタを構成することができる。
【０１６６】
図２５は、電極Ｂ６、又Ｄ８、電極Ａ５、又電極Ｃ７のいずれかを有する網形電極１７と、布又炭クロス９の面に電極Ｂ６、又Ｄ８、電極Ａ５、又電極Ｃ７のいずれかを有する面積をもった電極１８とを、布又炭クロス９を介在させて離間し平行に並べた変形例を示す。網型電極１７と電極１８との間にスペーサーとして布又炭クロス９を挿入、平行キャパシタを構成することができる。
【０１６７】
図２６は、電極Ｂ６、又電極Ｄ８、電極Ａ５、又電極Ｃ７のいずれかを有する面積を持った網型電極１７と、電極Ｂ６、又電極Ｄ８、電極Ａ５、又電極Ｃ７のいずれかを有する孔あき電極１７を、布又炭クロス９を介在させて離間し平行に並べた変形例を示す。網形電極１７と孔あき電極１７の間にスペーサーとして布又炭クロス９を挿入、平行キャパシタを構成することができる。
【０１６８】
図２７は、布又炭クロス９の面に電極Ｂ６、又電極Ｄ８、電極Ａ５、又電極Ｃ７のいずれかを有する面積を持った電極１８と、電極Ｂ６、又電極Ｄ８、電極Ａ５、又電極Ｃ７のいずれかを有する孔あき電極１７を、布又炭クロス９を介在させて離間し平行に並べた変形例を示す。孔あき電極１７と電極１８を離間しスペーサーとして布又炭クロス９を挿入、平行キャパシタを構成することができる。
【０１６９】
図２８は、布又炭クロス９の表面に曲面形電極Ａ５と電極Ｂ６、又電極Ｄ８を離間し平行に並べ変形例を示す。電極の間にスペーサーとして布又炭クロス９を挿入、平行キャパシタを構成することができる。
【０１７０】
図２９は、繭型断面の活性炭９の内部に丸形電極Ａ５、丸形電極Ｂ６、又丸形電極Ｄ８を離間し配置した変形例を示し、いずれかの電極は外部モータ等により回転させることができる。
【０１７１】
図３０は、円筒断面の活性炭９の内部に、丸形電極Ａ５、丸形電極Ｂ６、又丸形電極７、丸形電極Ｄ８を離間し配置した変形例を示し、いずれかの電極は外部モータ等により回転させることができる。
【０１７２】
図３１は、円筒状の電極を同軸に重ねて配置した円筒型３層電極の浄化体である変形例の断面を示し、図３２は、同変形例を軸線方向から見た図である。複数の円筒１４間にスペーサーとして布又炭クロス９を挿入、円筒状の電極Ａ５、電極Ｂ６、又電極Ｃ７、電極Ｄ８を離間し平行に並べ、平行キャパシタを構成することができる。
【０１７３】
図３３は、コイル型の電極を同軸に重ねてコイル型３積層電極の浄化体である変形例の断面を示し、図３４は、同変形例を軸線方向から見た図である。複数のコイル１５間にスペーサーとして布又炭クロス９を挿入、コイル状の電極Ａ５、電極Ｂ６、又電極Ｃ７、電極Ｄ８を離間し平行に並べ、平行キャパシタを構成することができる。
【０１７４】
図３５は、三角筒状の電極を３層に重ねて三角型３積層電極の浄化体である変形例の断面を示し、図３６は、同変形例を軸線方向から見た図である。三角形の電極１６間にスペーとして布又炭クロス９を挿入、三角筒状の電極Ａ５、電極Ｂ６、又電極Ｃ７、電極Ｄ８を離間し平行に並べ、平行キャパシタを構成することができる。
【０１７５】
図３７は、異なる面積の六角形の電極Ａ５、電極Ｂ６、電極Ｄ８を離間しスペーサーとして布又炭クロス９を挿入、平行に積層した浄化体である変形例の上面を示し、図３８は、同変形例の側面図である。３つの電極間にスペーサーとして布又炭クロス９を挿入、平行キャパシタを構成することができる。尚、各電極の中央部に孔２７を開けている。
【０１７６】
図３９は、異なる面積の正方形の電極Ａ５、電極Ｂ６、電極Ｄ８を離間しスペーサーとして布又炭クロス９を入れ平行に積層した浄化体である変形例の上面を示し、図４０は、同変形例の側面図である。３つの電極間にスペーサーとして布又炭クロス９を入れ離間し、平行キャパシタを構成することができる。尚、各電極の中央部に孔２７を開けている。
【０１７７】
図４１は、異なる面積の円形の電極Ａ５、電極Ｂ６、電極Ｄ８を離間しスペーサーとして布又炭クロス９を挿入し平行に積層した浄化体である変形例の上面を示し、図４２は、同変形例の側面図である。３つの電極間にスペーサーとして布又炭クロス９を挿入し離間、平行キャパシタを構成することができる。尚、各電極の中央部に孔２７を開けている。
【０１７８】
図４３は、波形状にした電極Ａ５、電極Ｂ６、又電極Ｃ７、電極Ｄ８を離間しスペーサーとして布又炭クロス９を挿入、平行に積層した浄化体である変形例を示す斜視図である。
【０１７９】
図４４は、山形状にした電極Ａ５、電極Ｂ６、又電極Ｃ７、電極Ｄ８を離間しスペーサーとして布又炭クロス９を挿入、平行に積層した浄化体である変形例を示す斜視図である。
【０１８０】
図４５は、可溶性吸収性膜、又不溶性吸収性膜２５で微粒子活性炭２４を挟み、微粒子金属電極Ａ２０、Ｃ２３を表面、裏面に離間し固着、平行キャパシタとし、カプセル２６に格納する浄化体を示す。
【０１８１】
図４６は、可溶性吸収性膜、又不溶性吸収性膜２５で微粒子活性炭２４を挟み、微粒子金属電極Ａ２０、Ｂ２１、Ｄ２３を可溶性吸収性膜、又不溶性吸収性膜２５の表面、裏面に離間し固着、平行キャパシタとする浄化体を示す。
【０１８２】
図４７は、可溶性吸収性膜、又不溶性吸収性膜２５で微粒子活性炭２４を挟み、微粒子金属電極Ａ２０、Ｂ２１、Ｃ２２、Ｄ２３を可溶性吸収性膜、又不溶性吸収性膜２５の表面、裏面に離間し固着、平行キャパシタとする浄化体を示す。
【０１８３】
図４８は、可溶性吸収性膜、又不溶性吸収性膜２５で微粒子活性炭２４を挟み微粒子金属電極Ａ２０、Ｂ２１、Ｄ２３を可溶性吸収性膜、又不溶性吸収性膜２５の表面、裏面に離間し固着、上、下面を微粒子活性炭２４で挟み平行キャパシタとする浄化体を示す。
【符号の説明】
【０１８４】
１  電解液（水蒸気、湿気、水道水、湯）
２  垢（皮膚の皮、汗、アンモニウム、ナトリュウム、カリウム）
３  浴槽
４  フィルター
５  金属電極Ａ（金材、白金材、銀材）
６  金属電極Ｂ（ステンレス鋼材、銅材、真鍮材、黄銅材）
７  金属電極Ｃ（すず材、ブリキ（すずめっきした鉄板）、活性炭材、ニッケル材）
８  金属電極Ｄ（鉄または鋼材、クロム材、ニクロム線、亜鉛材、トタン板材（亜鉛めっきした鋼板）、亜鉛めっき線材、アルミニウム材、酸化チタン材）
９  布（布、不織布、ゴム、合成樹脂）、又炭クロス（わし炭、竹炭、活性炭を布に固着）
１０  すべり止めシート
１１  浄化体
１２  浴槽の淵
１３  浴槽の底
１４  円筒状の金属電極（Ａ、Ｂ、Ｃ、Ｄ）
１５  コイル状の金属電極（Ａ、Ｂ、Ｃ、Ｄ）
１６  三角形状の金属電極（Ａ、Ｂ、Ｃ、Ｄ）
１７  金属電極の網、孔開き、六角孔開き（Ａ、Ｂ、Ｃ、Ｄ）
１８  面積を持った金属電極（Ａ、Ｂ、Ｃ、Ｄ）
１９  金属電極幕（Ａ、Ｂ、Ｃ、Ｄ）
２０  微粒子金属電極Ａ（金材、白金材、銀材）
２１  微粒子金属電極Ｂ（ステンレス鋼材、銅材、真鍮材、黄銅材）
２２  微粒子金属電極Ｃ（すず材、活性炭材、ニッケル材）
２３  微粒子金属電極Ｄ（鉄または鋼材、クロム材、亜鉛材、アルミニュウム材、酸化チタン材）
２４  微粒子活性炭（活性炭の微粒子、カーボンブラック、カーボンナノチューブ）    ２５  可溶性吸収性膜（吸収性人工繊維布、吸収性フィルム）、不溶性吸収性膜
２６  カプセル
２７  孔
【図１４】
2011078958.tif 000052
【図１５】
2011078958.tif 000053
【図１６】
2011078958.tif 000054
【図１７】
2011078958.tif 000055
【図１８】
2011078958.tif 000056
【図１９】
2011078958.tif 000057
【図２０】
2011078958.tif 000058
【図２１】
2011078958.tif 000059
【図２４】
2011078958.tif 000060
【図２５】
2011078958.tif 000061
【図２６】
2011078958.tif 000062
【図２７】
2011078958.tif 000063
【図２８】
2011078958.tif 000064
【図３１】
2011078958.tif 000065
【図３２】
2011078958.tif 000066
【図３３】
2011078958.tif 000067
【図３４】
2011078958.tif 000068
【図３５】
2011078958.tif 000069
【図３６】
2011078958.tif 000070
【図３７】
2011078958.tif 000071
【図３８】
2011078958.tif 000072
【図３９】
2011078958.tif 000073
【図４０】
2011078958.tif 000074
【図４１】
2011078958.tif 000075
【図４２】
2011078958.tif 000076
【図４３】
2011078958.tif 000077
【図４４】
2011078958.tif 000078
【図４５】
2011078958.tif 000079
【図４６】
2011078958.tif 000080
【図４７】
2011078958.tif 000081
【図４８】
2011078958.tif 000082
【図１】
2011078958.tif 000083
【図２】
2011078958.tif 000084
【図３】
2011078958.tif 000085
【図４】
2011078958.tif 000086
【図５】
2011078958.tif 000087
【図６】
2011078958.tif 000088
【図７】
2011078958.tif 000089
【図８】
2011078958.tif 000090
【図９】
2011078958.tif 000091
【図１０】
2011078958.tif 000092
【図１１】
2011078958.tif 000093
【図１２】
2011078958.tif 000094
【図１３】
2011078958.tif 000095
【図２２】
2011078958.tif 000096
【図２３】
2011078958.tif 000097
【図２９】
2011078958.tif 000098
【図３０】
2011078958.tif 000099
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
電気化学ポテンシャル列の異なる起電力レベルを持つ少なくとも２種類の金属を離間して配置し、水中に浸漬することにより電気化学反応で抗菌又は抗黴効果を発揮することを特徴とする浄化装置。
【請求項２】
前記金属は、酸化チタン、アルミニュウム、亜鉛、トタン（亜鉛めっきした鋼）、クロム、鉄又は鋼、ニッケル、黒鉛、すず、ブリキ（すずめっきした薄鉄）、真鍮、銅、ステンレス、銀、白金、金のうちの異なる種類の金属であることを特徴とする請求項１に記載の浄化装置。
【請求項３】
電気化学ポテンシャル列の異なる起電力が低い前記金属の一方の面積は、前記金属の他方の面積より大きいことを特徴とする請求項１又は２に記載の浄化装置。
【請求項４】
前記金属の一方は、布又は炭クロスの一方の面に配置され、前記金属の他方は、前記布又は炭クロスの他方の面に配置されていることを特徴とする請求項１〜３のいずれかに記載の浄化装置。
【請求項５】
前記金属の少なくとも一方は、前記布又は炭クロスの面に格子状、網状又は渦巻き状に形成されることを特徴とする請求項４に記載の浄化装置。
【請求項６】
布又は炭クロスの一方の面において、前記金属の一方が、前記金属の他方に取り囲まれるように配置されていることを特徴とする請求項１〜５のいずれかに記載の浄化装置。
【請求項７】
布又は炭クロスの一方の面において、前記金属の一方が、前記金属の他方に並べて配置されていることを特徴とする請求項１〜５のいずれかに記載の浄化装置。
【請求項８】
前記金属を形成した布又は炭クロスを積層したことを特徴とする請求項１〜６のいずれかに記載の浄化装置。
【請求項９】
前記金属を形成した布又は炭クロスを筒状に形成したことを特徴とする請求項１〜７のいずれかに記載の浄化装置。
【請求項１０】
前記金属は水が存在する限り電極電位差が電気化学反応を起こす原動力で発電し続ける水電池で発生する静電気容量を変えて微生物を発育阻止、死滅、又発育、増殖する微生物制御を特徴とする請求項１〜９のいずれかに記載の浄化装置。
【請求項１１】
前記金属は水中に浸漬すことにより水電池になり、又水が存在する限り放電、充電を繰り返し発電、静電気を絶えず発生し続ける燃料電池を特徴とする請求項１〜１０のいずれかに記載の浄化装置。
【請求項１２】
起電力の異なる金属電極で電位の高いほうの正の電位をもつ＋電極と電位の低いほうの負の電位を持つ−電極を持つ電極を２組以上組み合わせ離間した電極間に布又炭クロスを挿入し少し大きい布又炭クロスに異なる電極を固着した浄化体はプラスとマイナスの両電極を持ち、電場形成、静電気を発生しながら電流を流し続ける電気特性で発生する直流により水蒸気（空気）、電解溶液の中に浮遊する微生物は陰極、又陽極の金属表面に引き寄せて、微生物の物質移動を妨げ、金属表面からの金属イオン、腐食生成物の毒性で金属表面と微生物の間ですき間腐食を起こし、又金属表面からの放電の際に細胞膜の一部が可逆的に破壊で殺菌できることを特徴とした浄化体。
【請求項１３】
起電力の異なる金属電極を２組以上組み合わせた異なる電極は電極間が離間し、離間の間に布、炭クロスを挿入しその電極をさらに少し大きい炭クロスに電極を固着、水蒸気が存在して異なる金属電極間が接触、又異なる金属電極を電解質溶液に浸漬して接触するときの電気化学的腐食反応は布又炭クロスの厚み、異なる平行電極板の極間の距離、又異なる金属の平行キャパシタ金属表面に固着する布又炭クロスで覆った電極の露出面積、布又炭クロスの種類、起電力の異なる電極の電極電位差により発生する電場形成、静電気、電圧、電流を制御して微生物の殺菌と微生物の生体を活性化が出来ることを特徴とした浄化体。
【請求項１４】
起電力の異なる電極で２組以上を組み合わせた金属電極は純金属、合金、金属めっき処理、複合めっきした処理材料の組み合わせで電位差を原動力として電気化学的腐食反応を起こし腐食電流が流れ、金属原子がイオン化され、酸化反応、還元反応、放電で抗菌、抗カビ作用を特徴とする浄化体。
【請求項１５】
起電力の異なる金属電極は積層で水蒸気が存在、又電解質溶液に浸漬して布又炭クロスを介して接触する接合部があり電気化学的腐食で、腐食電流が流れ、電位差が両金属の間に生じ電位差が発生、布又炭クロス（活性炭）に電解溶液（水溶性もしくは有機電解液）の界面に形成されるイオンの物理吸着層（電気二重層）に電荷を蓄積、イオンの物理吸着現象を利用し電気二重層キャパシタで電気エネルギーを貯蔵、放電で水の電気分解を起こすことを特徴とする抗菌、抗カビ作用することを特徴する浄化体。
【手続補正２】
【補正対象書類名】明細書
【補正対象項目名】００１２
【補正方法】変更
【補正の内容】
【００１２】
【表２】
2011078958.tif 000100
【手続補正３】
【補正対象書類名】明細書
【補正対象項目名】００３７
【補正方法】変更
【補正の内容】
【００３７】
【図１】比較例における一般細菌数と入浴の経日変化を示すグラフである。
【図２】亜鉛（トタン板）、銅、銀の間に布を挿入し大きい布に固着した３積層電極の亜鉛電極の斜視画像である。
【図３】１５０倍に拡大した亜鉛電極の組織画像である。
【図４】１５０倍に拡大した亜鉛電極の組織画像である。
【図５】実施例における一般細菌数と入浴の経日変化を示すグラフである。
【図６】実施例における黴、酵母数と入浴の経日変化を示すグラフである。
【図７】大腸菌群の培養実験で浄化体が増殖阻止より死滅を示す図である。
【図８】大腸菌群の培養実験で発育、増殖を示す図である。
【図９】銀、亜鉛（トタン）、銅の間に炭クロスを挿入、大きい炭クロスに固着した３積層電極の銀電極を示す図である。
【図１０】試験液のＯＲＰの経時変化を示すグラフである。
【図１１】試験液のＯＲＰの経時変化を示すグラフである。
【図１２】貯水槽、プール、浴槽３の側面の淵１２、底１３に浄化体を固着した断面図で、浴槽の淵１２に布又は炭クロス９の表面に電気化学ポテンシャル列の異なる種類の金属電極Ａ５（銀材）、電極Ｄ８（亜鉛材）を離間し表面に固着、裏面に電極Ｂ６（銅材）を固着、浴槽の水面に浮遊する垢、脂肪を付着させるフィルター４を固着、電極電位差で電気化学反応（酸化還元反応）を起こし浴槽３、又貯水槽、プールの水を電気的殺菌、電気化学的殺菌で滅菌する浄化体を示す図である。
【図１３】貯水槽、プール、浴槽３の側面の淵１２に固着する浄化体１１を示す図で、電気化学ポテンシャル列の異なる種類の金属電極Ａ５（銀材）、電極Ｄ８（亜鉛材）を離間し表面に固着、裏面に電極Ｂ６（銅材）を固着、浴槽の水面に浮遊する垢、脂肪を付着させるフィルター４を固着、電極電位差で電気化学反応を起こし浴槽３、又貯水槽、プールの水を電気的殺菌、電気化学的殺菌で滅菌する浄化体１１を示す図である。
【図１４】貯水槽、プール、浴槽の底１３に固着する浄化体であって、電気化学ポテンシャル列の異なる種類の電極Ａ５（銀材）、電極Ｄ８（亜鉛材）を離間し表面に固着、裏面に電極Ｂ６（銅材）固着、浴槽の水面に浮遊する垢、脂肪を付着させるフィルター４を固着、電極電位差で電気化学反応を起こし浴槽３、又貯水槽、プールの水を電気的殺菌、電気化学的殺菌で滅菌、移動防止のスベリ止めシート１０を固着した浄化体１１を示す図である。
【図１５】布又炭クロス９の表面に電気化学ポテンシャル列の異なる種類の電極Ａ５（銀材）を格子状、又網状１７に固着し電気化学反応を起こし布、又炭クロス９に蓄電し水を滅菌する浄化体を示す図である。
【図１６】布又炭クロス９の表面に電気化学ポテンシャル列の異なる種類の電極Ｂ６（銅材）を固着し電極を左、又右巻きに固着した浄化体を示す図である。表側の電極と電極電位差で電気化学反応を起こし、布又炭クロス９に蓄電し水を電気的殺菌、電気化学的殺菌で滅菌する。
【図１７】布又炭クロス９の表面に電気化学ポテンシャル列の異なる種類の電極Ａ５、電極Ｄ８、電極Ｂ６、又電極Ｃ７を離間し固着、陽極における腐食作用による電子を供給するのは陰極材料であるため陰極材料の面積を多く配置、電極を横形に配置し電極電位差で電気化学反応を起こし、水を電気的殺菌、電気化学的殺菌で滅菌、又電池に利用する浄化体を示す図である。
【図１８】布又炭クロス９の表面に電気化学ポテンシャル列の異なる種類の金属電極Ａ５、電極Ｄ８、電極Ｂ６、電極７を離間し固着、陽極における腐食作用による電子を供給する陰極材料であるため陰極面積を多くして配置、電極を立て形に配置し電極電位差で電気化学反応を起こし、水を電気的殺菌、電気化学的殺菌で滅菌、又電池に利用する浄化体を示す図である。
【図１９】布又炭クロス９の表面に電気化学ポテンシャル列の異なる種類の金属をピラミット形に電極Ａ５、電極Ｂ６、電極Ｃ７、電極８を離間し配置、各電極は直列、又並列に固着し電気化学反応の反応性を制御、電極電位差で電気化学反応を起こし滅菌、又電気エネルギーを蓄電する電池として利用する浄化体を示す図である。
【図２０】布又炭クロス９の表面に電気化学ポテンシャル列の異なる種類の金属電極Ｄ８の円の回りに右回りに電極Ａ５、電極Ｂ６、又電極Ｃ７を離間し固着、発生する電気エネルギーを渦巻状にし、電極電位差で電気化学反応を起こし、水を電気的殺菌、電気化学的殺菌で滅菌、又電池として利用する浄化体を示す図である。
【図２１】布又炭クロス９の表面に電気化学ポテンシャル列の異なる種類の金属電極Ｄ８の円の回りに左回りに電極Ａ５、電極Ｂ６、又電極Ｃ７を離間し固着、発生する電気エネルギーを渦巻状にし、電極電位差で電気化学反応を起こし、水を電気的殺菌、電気化学的殺菌で滅菌、又電池として利用する浄化体を示す図である。
【図２２】布又炭クロス９の表面に電気化学ポテンシャル列の異なる種類の金属電極Ａ５、電極Ｂ６、電極Ｃ７、電極Ｄ８を離間し平行に並べ、電極の間にスペーサーの布、又炭クロス９を挿入、離間し電極板を平行キャパシタとし電気エネルギーを蓄積するため電解液、太陽光、風、水、水蒸気、湯、海水を通して静電気を発生させ、又電極電位差で電気化学反応を起こし電気エネルギーを蓄電する電池、又水を滅菌するために利用する浄化体を示す図である。
【図２３】布又炭クロス９の幕の表面に電気化学ポテンシャル列の異なる種類の金電極Ａ５、電極Ｂ６、又電極Ｃ７、電極Ｄ８を離間し固着、多数の幕を組み合わせた金属電極幕１９を平行に並べ、金属電極幕１９の間にスペーサーの布又炭クロス９を挿入、離間した金属電極幕１９を平行キャパシタとし電極電位差で電気化学反応を起こし電気エネルギーを蓄電するため電解液、太陽光、風、水、水蒸気、湯、海水を通し発生する静電気で原子炉より発生する放射能、赤外線、磁気波を遮蔽する幕、貯水槽、プールの水を電気的殺菌、電気化学的殺菌で滅菌、又静電気を蓄電する電池に利用する浄化体を示す図である。
【図２４】布又炭クロス９の表面に面積を持った電気化学ポテンシャル列の異なる種類の金属電極１８の電極Ｂ６、又電極Ｄ８、電極Ａ５、又電極Ｃ７を離間し電極板を平行に並べ、離間した電極間にスペーサーの布、又炭クロスを挿入し大きい布又炭クロス９に固着、電極板を平行キャパシタとし、電極電位差で電気化学反応を起こし静電気が蓄電され放電で水を滅菌、又電気エネルギーを蓄電にする電池に利用する浄化体を示す図である。
【図２５】布又炭クロス９の表面に網形１７の電気化学ポテンシャル列の異なる種類の金属電極Ｂ６、又電極Ｄ８を面積のある１８電極Ａ５、又電極Ｃ７を離間し電極板を平行に並べ、電極間にスペーサーの布、又炭クロスを挿入し大きい布又炭クロス９に固着、電極板を平行キャパシタとし、金属イオンの流れを良くし、電極電位差で電気化学反応を起こし電気エネルギーを蓄電し電池として利用、又水を電気的殺菌、電気化学的殺菌で滅菌、又電気エネルギーを蓄電にする電池に利用する浄化体を示す図である。
【図２６】布又炭クロス９の表面に網形１７の電気化学ポテンシャル列の異なる種類の金属電極Ｂ６、又電極Ｄ８で面積のある１８孔開き電極Ａ５、又電極Ｃ７を離間し電極板を平行に並べ、電極間にスペーサーの布、又炭クロスを挿入し大きい布又炭クロス９に固着、電極を平行キャパシタとし、金属イオンの流れを良くし、電極電位差で電気化学反応を起こし、電気エネルギーを蓄電し電池として利用、又空気清浄機の滅菌、水を電気的殺菌、電気化学的殺菌で滅菌する浄化体を示す図である。
【図２７】布又炭クロス９の表面に孔開き、又六角孔開き１７の電気化学ポテンシャル列の異なる種類の金属電極Ｂ６、又電極Ｄ８で面積のある１８電極Ａ５、又電極Ｃ７を離間し電極板を平行に並べ、電極間にスペーサーの布、又炭クロスを挿入し大きい布又炭クロス９に固着、電極板を平行キャパシタとし、金属イオンの流れを良くし、電極電位差で電気化学反応を起こし、電気エネルギーを蓄電する電池として利用、又水を電気的殺菌、電気化学的殺菌で滅菌する浄化体を示す図である。
【図２８】布又炭クロス９の表面に電気化学ポテンシャル列の異なる種類の金属の曲面形電極Ａ５と電極Ｄ８を離間し電極板を平行に並べ、電極の間にスペーサーの布、又炭クロス９を挿入し大きい布又炭クロス９に固着、電極板を平行キャパシタとし、電極電位差で電気化学反応を起こし、電気エネルギーを中心に集めて蓄電する電池として利用、又水を電気的殺菌、電気化学的殺菌で滅菌する浄化体を示す図である。
【図２９】活性炭９の内部に電気化学ポテンシャル列の異なる種類の金属の丸形電極Ａ５、丸形電極Ｂ６、又丸形電極Ｄ８を離間し配置、湯、水、水蒸気、空気、圧縮空気、電解液１を通過させ、又回転し電極電位差で電気化学反応を起こし電気二重層の電気エネルギーを蓄電する電池、発電装置、又圧縮空気、水、湯を滅菌する浄化体として利用を示す図である。
【図３０】活性炭９の内部に電気化学ポテンシャル列の異なる種類の金属の丸形電極Ａ５、丸形電極Ｂ６、又丸形電極Ｃ７、丸形電極Ｄ８を離間し配置し、湯、水、水蒸気、空気、圧縮空気、電解液１を通過させ、又回転し電極電位差で電気化学反応の電気二重層の電気エネルギーを蓄電、発電装置、又圧縮空気、水、湯を滅菌する浄化体として利用する示す図である。
【図３１】円筒状１４を３層に重ね３層電極円筒とし円筒間にスペーサーの布、又炭クロス９を入れ離間し平行に並べ、外周に布、又炭クロス９を固着、電気化学ポテンシャル列の異なる種類の金属の電極Ａ５、電極Ｂ６、又電極Ｃ７、電極Ｄ８を離間し電極円筒を平行に並べ、電極を平行キャパシタとして湯、風、ガス、空気、圧縮空気、水、海水が通過させ静電気が発生、又電極電位差で電気化学反応を起こし、電気二重層の電気エネルギーを取り出す電池として利用、又管内を通過する湯、水、ガス、風、空気、圧縮空気で発生する静電気の放電、又電気的殺菌、電気化学的殺菌で滅菌する浄化体を示す断面図である。
【図３２】図３１の３層電極円筒の軸線方向図である。
【図３３】コイル状１５を３層に重ね３層電極コイルとしコイル間にスペーサーの布、又炭クロス９を挿入、離間し平行に並べ、電気化学ポテンシャル列の異なる種類の金属の電極Ａ５、電極Ｂ６、又電極Ｃ７、電極Ｄ８を離間し電極コイルを平行に並べ、外周に布、又炭クロス９を固着、電極を平行キャパシタとし湯、風、水、海水を通過させ静電気が発生、又電極電位差で電気化学反応を起こし電気二重層の電気エネルギーを取り出す電池として利用、又コイル状を通過する湯、水、ガス、空気、圧縮空気により発生する静電気の放電、又電気的殺菌、電気化学的殺菌で滅菌する浄化体を示す断面図である。
【図３４】図３３の３積層電極コイルの右側面図である。
【図３５】三角形状１６を３層に重ね３積層電極三角形状とし三角形状間にスペーサーの布、又炭クロス９を挿入、離間し平行に並べ、電気化学ポテンシャル列の異なる種類の金属の電極Ａ５、電極Ｂ６、又電極Ｃ７、電極Ｄ８を離間し電極三角形状を平行に並べ、外周に布、又炭クロスを固着、電極を平行キャパシタとし湯、風、水、海水を通過させ静電気が発生、又電極電位差で電気化学反応を起こし電気二重層の電気エネルギーを取り出す電池として利用、又三角形状を通過する湯、水、空気、高圧空気により発生する静電気の放電、又電気的殺菌、電気化学的殺菌で滅菌する浄化体を示す図である。
【図３６】図３５の３積層電極三角形状の右側面図である。
【図３７】面積を持った異なる金属の六角形の電気化学ポテンシャル列の異なる種類の金属の電極Ａ５、電極Ｂ６、又電極Ｃ７、電極Ｄ８を積層に離間し電極板を平行に並べ、電極を平行キャパシタとし、平行面、六角断面からの電極電位差で電気化学反応を起こし電池として利用、又電極を通過する水、空気により発生する静電気の放電、又電気的殺菌、電気化学的殺菌で滅菌する浄化体を示す図である。
【図３８】図３７の３積層電極の右側面図である。
【図３９】面積を持った異なる金属の四角形の電気化学ポテンシャル列の異なる種類の電極Ａ５、電極Ｂ６、又電極Ｃ７、電極Ｄ８を積層に離間し電極板を平行に並べ、電極を平行キャパシタとし、平行面、四角断面からの電極電位差で電気化学反応を起こし電池として利用、又電極を通過する水、空気により発生する静電気の放電、又電気的殺菌、電気化学的殺菌で滅菌する浄化体を示す図である。
【図４０】図３９の３積層電極の右側面図である。
【図４１】面積を持った異なる金属の丸形の電気化学ポテンシャル列の異なる種類の金属の電極Ａ５、電極Ｂ６、又電極Ｃ７、電極Ｄ８を積層に離間し電極板を平行に並べ、電極を平行キャパシタとし、平行面、丸形断面からの電極電位差で電気化学反応を起こし電池として利用、又電極を通過する水、空気により発生する静電気の放電、又電気的殺菌、電気化学的殺菌で滅菌する浄化体を示す図である。
【図４２】図４１の３積層電極の右側面図である。
【図４３】布又炭クロスの表面に電気化学ポテンシャル列の異なる種類の金属の電極を波形状にして接触面積を多くし、静電気を多く蓄電するため電極Ａ５、電極Ｂ６、又電極Ｃ７、電極Ｄ８を積層に離間し平行に並べ、スペーサーの布、又炭クロスを挿入、電極を平行キャパシタとし、風、太陽光、水、海水を通過させ静電気が発生、又電極電位差で電気化学反応を起こし電池として利用、又静電気の放電、又電気的殺菌、電気化学的殺菌で滅菌する浄化体を示す図である。
【図４４】布又炭クロスの表面に電気化学ポテンシャル列の異なる種類の金属の電極を山形状にして接触面積を多くし静電気を多く帯電するため電極Ａ５、電極Ｂ６、又電極Ｃ７、電極Ｄ８を積層に離間し平行に並べ、スペーサーの布、又炭クロスを挿入、電極を平行キャパシタとし、風、太陽光、水、海水を通過により静電気が発生、又電極電位差で電気化学反応を起こし電池として利用、又静電気の放電、又電気的殺菌、電気化学的殺菌で水を滅菌する浄化体を示す図である。
【図４５】微粒子活性炭２４の両面を可溶性吸収膜、又不溶性吸収膜２５で固着、表面に、電気化学ポテンシャル列の異なる種類の金属微粒子金属電極２０を固着、裏面に微粒子金属電極２３を固着して可溶性吸収膜カプセル２６に格納し薬として服用、体内の液体が電解液となり、電極電位差で電気化学反応が進み電気的殺菌、電気化学的殺菌で微生物を滅菌する薬、農薬、殺虫剤、又電池として利用する浄化体を示す図である。
【図４６】微粒子活性炭２４の両面を可溶性吸収膜、又不溶性吸収膜２５で固着、表面に電気化学ポテンシャル列の異なる種類の金属の微粒子金属電極Ａ２０を固着、さらに可溶性吸収膜、又不溶性吸収膜２５を介し微粒子金属電極Ｂ２１を固着、裏面には可溶性吸収膜、又不溶性吸収膜２５を介し微粒子金属電極Ｄ２３を固着し両面を可溶性吸収膜、又不溶性吸収膜２５で被い電極電位差で電気化学反応の強弱を電極の組み合わせで制御し電気的殺菌、電気化学的殺菌で細菌、ウイルス、癌患部、カビ、抗生物質耐性菌を攻撃し滅菌、又発生する静電気でワクチンの培養、製造に利用する薬品、農薬、殺虫剤、又電池として利用する浄化体を示す図である。
【図４７】微粒子活性炭２４の両面を可溶性吸収膜、又不溶性吸収膜２５で固着、表面に電気化学ポテンシャル列の異なる種類の金属の微粒子金属電極Ｃ２２を固着、さらに可溶性吸収膜、又不溶性吸収膜２５を介し微粒子金属電極Ｂ２１を固着、さらに可溶性吸収膜、又不溶性吸収膜２５を介し微粒子金属電極Ａ２０を固着、可溶性吸収膜、又不溶性吸収膜２５を介し微粒子金属電極Ｄ２３を固着、両面を可溶性吸収膜、又不溶性吸収膜２５被い５層の膜の電極電位差で電気化学反応の強弱を電極の組み合わせで制御し電気的殺菌、電気化学的殺菌で細菌、ウイルス、癌患部、カビ、抗生物質耐性菌を攻撃し滅菌、又発生する静電気でワクチンの培養、製造に利用する薬品、農薬、殺虫剤、又電池として利用する浄化体を示す図である。
【図４８】微粒子活性炭２４の両面を可溶性吸収膜、又不溶性吸収膜２５で固着、表面に電気化学ポテンシャル列の異なる種類の金属の微粒子金属電極Ｃ２２を固着、さらに可溶性吸収膜、又不溶性吸収膜２５を介し微粒子金属電極Ｂ２１を固着、さらに可溶性吸収膜、又不溶性吸収膜２５を介し微粒子金属電極Ａ２０を固着、可溶性吸収膜、又不溶性吸収膜２５を介し微粒子金属電極Ｄ２３を固着、両面を可溶性吸収膜、又不溶性吸収膜２５で微粒子活性炭２４を被い５層の膜の電極電位差で電気化学反応の強弱を電極の組み合わせで制御し電気的殺菌、電気化学的殺菌で細菌、ウイルス、癌患部、カビ、抗生物質耐性菌を攻撃し滅菌、又発生する静電気でワクチンの培養、製造に利用する薬品、農薬、殺虫剤、又電池として利用する浄化体を示す図である。
【図４９】本発明者が行った実験結果を撮影した写真である。
【図５０】亜鉛板（トタン板）、銅板、銀板（Ｔ１０００４）の３積層電極の形状を示す図である。
【図５１】亜鉛材、ステンレス，アルミニウム、銀板（Ｔ１０００５）の電極の形状を示す図である。
【図５２】水の電気分解図である。（綿抜邦彦、久保田昌治監修、「新しい水の科学と利用技術」、株式会社サイエンフォーラム出版）１９９２年１１月１０日、Ｐ３０３
【手続補正４】
【補正対象書類名】明細書
【補正対象項目名】０１８３
【補正方法】変更
【補正の内容】
【０１８３】
図４８は、可溶性吸収性膜、又不溶性吸収性膜２５で微粒子活性炭２４を挟み微粒子金属電極Ａ２０、Ｂ２１、Ｄ２３を可溶性吸収性膜、又不溶性吸収性膜２５の表面、裏面に離間し固着、上、下面を微粒子活性炭２４で挟み平行キャパシタとする浄化体を示す。
本発明者が行った実験で、撮影場所は全暗にしてカメラを設置、亜鉛板（トタン板）、銅板、銀板（Ｔ１０００４）の３積層電極間に炭クロスを挿入、３積層電極を少し大きい炭クロスに固着、３積層電極はガラス容器（７ｌ）に水道水（３．５ｌ）を入れ透明の○３０×５０ｍｍ台に設置、電極を浸漬させると電場形成、静電気、電圧、電流が発生し、電圧、電流を電気二重層キャパシタに電気エネルギーを貯蔵、許容電圧を超えると放電する発光現象を写真に撮影、電極の形状は図５０に示す通りである。カメラはキャノンＥＯＳ１、レンズはキャノンマクロ１００ｍｍ、Ｆ２．８、バルブ（長時間露出）機能付き、フィルムはＦＵＪＩＦＩＬＭ  ナチュラル１６００、現像時点の感度は３２００。以上の写真撮影の結果を図４９に示す。
この実験で、電気化学ポテンシャル列の異なる種類の金属、亜鉛材、銀材，銅材、（Ｔ−１０００１）の電極の電極間に炭クロスを挿入、３積層に重ね大きい炭クロスに固着、３積層電極と電解液（純水５０ｍｌ）をプラスチック容器に入れ、３日間電圧、電流、抵抗を測定した。異なる電極間に電圧、電流、抵抗値が発生し電圧、電流が徐々に増えてその後又減少する「充電、放電」を純水が有る限り長期に渡り繰り返す亜鉛電池になり、測定値は表２０に示す通りであり、電極形状は図２に示す通りである。
【表２０】
2011078958.tif 000101
更に、亜鉛板、銀板、銅板の電極間に布を挿入し３積層電極とし（Ｔ−１０００２）３日間を測定すると亜鉛電池になり放電、充電を繰り返し続けて測定値は表２１に示す通りである。
【表２１】
2011078958.tif 000102
更に実験で、電気化学ポテンシャル列の異なる種類の金属、亜鉛材、銀材，銅材、（Ｔ−１０００３）の電極の電極間に炭クロスを挿入、３積層に重ね大きい炭クロスに固着、遠赤外線を測定、測定波長は１．３μm〜１４．５μm、有効波長が３．０μm〜１４．５μmであり遠赤外線を亜鉛板から放射を確認、測定値は表２２に示す通りであり、電極形状は図２に示す通りである。以上の実験結果の詳細を表２２に示す。
【表２２】
2011078958.tif 000103
実験で、図５１に示すように、亜鉛板、ステンレス、アルミニウム板、銀板（Ｔ１０００５）を４積層にし、その間に布又炭クロスを挿入、少し大きい布又炭クロスに固着した４積層電極は水蒸気が存在する状態（空気中）で電場形成、静電気、電圧、電流を発生、外部からの電気化学的腐食反応促進として太陽光を電極表面に当てると温度上昇、又電解溶液、温水、海水、氷の浮かぶ海水に浸漬、又氷の中に電極を閉じ込めると電気化学的反応（電気化学的腐食反応）が更に活発になり、電場形成し、静電気、電圧、電流値を大きく生じる。
（遠赤外線の力）
起電力の異なる金属電極を２組以上組み合わせた浄化体より電極表面から発生する遠赤外線の力で身体の細胞を深層から温める作用により血流の流れが良くなり温熱作用により身の冷え症、神経痛、筋肉痛、肩凝り、腰痛などの痛みが改善される。
（還元水）
起電力の異なる金属電極を２組以上組み合わせた浄化体を電解溶液の中に浸漬すると電気化学反応（電気化学的腐食反応）で電解溶液が酸化還元作用を持ち、酸化還元電位計で測定すると酸化還元電位が降順し還元水になり体の中のさまざま病気の原因となる活性酸素を消去し遺伝子の本体であるＤＮＡを損傷、過酸化脂肪が血管壁の内膜に付着する動脈硬化、眼球レンズの内膜に付着する白内障、老化、癌、高血圧を防ぐ。
（防錆）
原油、鉱物油類の油中の水分を浄化体の微弱電流の放電により電気分解を起こすることにより、マイナスイオン量の増加、油分中の硫化物による変質酸化上昇を抑え鉄の防錆効果を高め、防錆を行う。
（ダクトの空気の抗菌、抗カビ対策）
老人施設や病棟へ空調ダクトから空気がつねに出ているが、ダクトの解体清掃、防カビ処理が困難で、噴出す空気の中に細菌、カビ、酵母が含まれ、高齢者や入院患者は肺炎の原因になる細菌、カビ、酵母が室内に舞って、口、鼻から侵入し病気を誘発、又傷を悪化させる。そのため起電力の異なる金属電極を２組以上組み合わせた浄化体で静電気発生、電場形成で浮遊する細菌、カビ、酵母を陰極、又陽極に集菌、金属表面より溶け出た金属の毒性、静電放電、金属イオン、電圧放電、電流放電で抗菌、抗カビを滅菌する。
（静電気）
起電力の異なる金属電極を２組以上組み合わせた浄化体は、太陽の光を受けて発熱、空気、空気中の湿気（水蒸気）、水、海水に浸り静電気発生、電場形成で車、列車、船舶、飛行機、宇宙船、ロケットの本体側面と外部の接触面の間に静電気、電場形成の膜で空気、水、海水、宇宙空間の接触抵抗を減少させる。
（宇宙船の電源供給）
ロケット、宇宙船の船体に起電力の異なる金属を２組以上組み合わせた浄化体を固着、飛行中に船体にあたる太陽光により静電気、電場形成、電圧、電流の発生により電源として利用する。
実験で、起電力の異なる金属電極を２組以上組み合わせた浄化体を電解溶液に浸漬すると電極電位差を原動力として電気化学反応（電気化学的腐食）が起こし、発生電圧、電流を布又炭クロスの電気二重層キャパシタに蓄積、水の電気分解を起こす電圧１．４Ｖ付近に達し放電で水の電気分解を起こし、陰極の金属表面に水素ガスの泡が発生、陽極の金属表面に酸素ガスが発生により酸化することを確認する。
実験で、起電力の異なる金属電極の銀線とアルミニウム線を離間し炭クロスに固着、電解溶液に浸漬すると電位差で電気化学反応が起こり、静電気が発生、電場形成、電解溶液中に分散の大腸菌群は陰極の銀線に集菌、更に単一電池（１．５Ｖ）で銀線とアルミニウム線に印加すると銀線電極の表面に集菌し１２時間経過する大腸菌群が集積死滅し検査で殺菌が検出されない。
電極上で培養したＨｅＬａ細胞について、−０．２Ｖ〜＋１．２Ｖ定電位を印加したときの細胞の形態および増殖に及ぼす電気効果を示す。細胞膜表面はマイナスに帯電しているため−０．２Ｖから＋０．４Ｖで細胞は電位に応じて、本来の紡錘形から球状へと形態変化が観察されるものの死に至ることはない。＋０．７Ｖでは徐々に死滅し、＋１．２Ｖではすべての細胞が１時間以内で死滅する。
（非特許文献）財団法人電気化学会著、「電気化学便覧」丸善株式会社出版、２０００年６月３０日発行、細胞制御技術、Ｐ３３９
「電解圧以下の電圧でつくられる水の電気分解」水の分子は電場が加わっていない時でもＨ2Ｏ→    Ｈ+  ＋  ＯＨ-  で表せる平衡状態にあり、水は電場がかかっていない時でも、各イオンの反対符号の電極面に向かって移動し、電極間に電流が流れる。この場合の電気分解は図５２のＤより左の部分に当たり（電解圧以下の電圧）、負極面での水素ガスの発生はあっても、正極面における酸素ガスの発生はない。水素イオンＨ+と水酸イオンＯＨ-は各々水分子と水和結合して、Ｈ3Ｏ+（ヒドロニウムイオン）とＨ3Ｏ2-（ヒドロキシルイオン）になる。これらのイオンの水の中での移動は隣の水分子にＨ+またはＯＨ-だけを受け渡し、結果としてイオンが移動する、いわゆる「ホッピング・モデル」による。Ｈ+イオンの移動速度に比べて２倍程度早いのと、Ｈ+イオンの放電電位が低く、電極面で容易に放電してＨ2になりガスとなって水から失われ、一方のＯＨ-イオンのほうは電極面での放電電位が大きいため電荷をもったイオンのまま水流の中に拡散される。
水の電気分解
Ｈ2Ｏ  →  ←  Ｈ+    ＋    ＯＨ-
水      水素イオン    水酸イオン
Ｈ+    ＋    Ｈ2Ｏ    →  Ｈ3Ｏ+    ［水素イオンの一部はＨ2ガス（水素ガス）になる］
水素イオン        水      ヒドロニウムイオン
ＯＨ-    ＋  Ｈ2Ｏ    →  Ｈ3Ｏ2+ 
水酸イオン      水        ヒドロキシルイオン  
（非特許文献）綿抜邦彦、久保田昌治監修、「新しい水の科学と利用技術」、株式会社サイエンフォーラム出版、１９９２年１１月１０日、Ｐ３０４
「水の電気分解と活性酸素（フリーラジカル）」、電解圧以上で電気分解された水の場合、カソード（陰極）からの水素の発生とともにアノード（陽極）から酸素が発生する。電極面から発生する酸素は空気中の酸素のように安定で活性の穏やかなものだけでなく、発生機の酸素と呼ばれる原子の酸素（Ｏ）や最近、活性酸素と呼ばれ医学および生化学において大きな問題になっている極めて活性の強い分子状の酸素、および酸素化合物がつくられる。この活性酸素は、金属類を烈しく腐食し、生体細胞の組織を攻撃・破壊して人間の老化や多くの病気の原因になることが明らかになっている。
（非特許文献）綿抜邦彦、久保田昌治監修、「新しい水の科学と利用技術」、株式会社サイエンフォーラム出版、１９９２年１１月１０日、Ｐ３０７
腐食とは、金属が化学的あるいは電気化学的反応により劣化損傷する現象で、金属イオンを溶出するとともに表面になんらかの反応被膜（腐食生成物）を形成する反応である。人体中でも腐食は起こり、金属材料の毒性や破壊の原因となる。
（非特許文献）▲塙▼隆夫・米山隆之共著、「金属バイオマテリアル」、コロナ社、２００７年９月２８日、Ｐ５３
すき間腐食は、物資移動が妨げられる過程で、溶液側が局部的に酸性高塩化物濃度になる場合に起きる。このとき、不動態皮膜は不安定になり電気化学的に溶解する。ボーンプレートとスクリュートとの固定部の近傍、ボーンプレートと骨のすき間などで、皮膜の破壊と再生が繰り返されると、局部的にＨ+濃度が高くなり、すき間腐食が起こりうる。また、細胞が付着した金属表面もすき間腐食のサイトとなりうる。
（非特許文献）▲塙▼隆夫・米山隆之共著、「金属バイオマテリアル」、コロナ社、２００７年９月２８日、Ｐ１２０
細胞膜は細胞内外の液と比較して抵抗が、１，０００倍以上も高く（１０9Ω・ｃｍ-1）、コンデンサとしてみなすことができる。細胞を溶液に入れ、平行電極間におき、細胞膜の力学的耐性の臨界値を超えるようなパルス電位を印加すると、放電の際に膜の一部が可逆的に破壊され、細胞に瞬時に穴が開くことから、エレクトロボレーションや細胞融合、殺菌などへ利用されている。
（非特許文献）財団法人電気化学会著、「電気化学便覧」丸善株式会社出版、２０００年６月３０日発行、電極による生物制御、Ｐ３３７
【手続補正５】
【補正対象書類名】明細書
【補正対象項目名】０１８４
【補正方法】変更
【補正の内容】
【０１８４】
１  電解液（水蒸気、湿気、水道水、湯）
２  垢（皮膚の皮、汗、アンモニウム、ナトリュウム、カリウム）
３  浴槽
４  フィルター
５  金属電極Ａ（金材、白金材、銀材）
６  金属電極Ｂ（ステンレス鋼材、銅材、真鍮材、黄銅材）
７  金属電極Ｃ（すず材、ブリキ（すずめっきした鉄板）、活性炭材、ニッケル材）
８  金属電極Ｄ（鉄または鋼材、クロム材、ニクロム線、亜鉛材、トタン板材（亜鉛めっきした鋼板）、亜鉛めっき線材、アルミニウム材、酸化チタン材、マグネシュウム、マグネシュウム合金）
９  布（布、不織布、ゴム、合成樹脂）、又炭クロス（わし炭、竹炭、活性炭を布に固着）
１０  すべり止めシート
１１  浄化体
１２  浴槽の淵
１３  浴槽の底
１４  円筒状の金属電極（Ａ、Ｂ、Ｃ、Ｄ）
１５  コイル状の金属電極（Ａ、Ｂ、Ｃ、Ｄ）
１６  三角形状の金属電極（Ａ、Ｂ、Ｃ、Ｄ）
１７  金属電極の網、孔開き、六角孔開き（Ａ、Ｂ、Ｃ、Ｄ）
１８  面積を持った金属電極（Ａ、Ｂ、Ｃ、Ｄ）
１９  金属電極幕（Ａ、Ｂ、Ｃ、Ｄ）
２０  微粒子金属電極Ａ（金材、白金材、銀材）
２１  微粒子金属電極Ｂ（ステンレス鋼材、銅材、真鍮材、黄銅材）
２２  微粒子金属電極Ｃ（すず材、活性炭材、ニッケル材）
２３  微粒子金属電極Ｄ（鉄または鋼材、クロム材、亜鉛材、アルミニュウム材、酸化チタン材、マグネシュウム、マグネシュウム合金）
２４  微粒子活性炭（活性炭の微粒子、カーボンブラック、カーボンナノチューブ）
２５  可溶性吸収性膜（吸収性人工繊維布、吸収性フィルム）、不溶性吸収性膜
２６  カプセル
２７  孔
【手続補正６】
【補正対象書類名】図面
【補正対象項目名】図４９
【補正方法】追加
【補正の内容】
【図４９】
2011078958.tif 000104
【手続補正７】
【補正対象書類名】図面
【補正対象項目名】図５０
【補正方法】追加
【補正の内容】
【図５０】
2011078958.tif 000105
【手続補正８】
【補正対象書類名】図面
【補正対象項目名】図５１
【補正方法】追加
【補正の内容】
【図５１】
2011078958.tif 000106
【手続補正９】
【補正対象書類名】図面
【補正対象項目名】図５２
【補正方法】追加
【補正の内容】
【図５２】
2011078958.tif 000107